(57)【特許請求の範囲】
【請求項１】
流体として少なくとも蒸気を用い、少なくとも蒸気を発生させるのに、第１燃料と、燃料機器により精製する第２燃料の一部と、前記燃料機器の運転において生じた廃熱と、を用いて蒸気を発生させる流体使用設備の各所に設置した検出器の検出情報に基づき、前記流体使用設備における流体使用機器として、前記燃料機器の作動状態を監視するとともに、ドレントラップの作動状態を監視し、
前記流体使用設備におけるエネルギーバランスとして、少なくとも、前記燃料機器で精製される前記第２燃料の燃料量と蒸気の発生に使用される前記第２燃料の燃料量とに基づいて演算される燃料バランスと、蒸気の発生に用いる前記第１及び第２燃料の燃料使用量を含む蒸気の発生に使用される総燃料使用量に基づき蒸気の発生に使用される総燃料費を求め、前記流体使用設備における総蒸気発生量を前記総燃料費で除算した蒸気発生コストと、を演算し、
この監視結果と前記エネルギーバランスの演算結果とに基づいて前記流体使用設備の運転状態を最適化する流体使用設備管理方法。
【請求項２】
前記流体使用設備の運転状態を現行状態から最適化した場合に得られる経済効果又は環境効果を試算する請求項１に記載の流体使用設備管理方法。
【請求項３】
前記エネルギーバランスとして、前記蒸気使用設備における蒸気使用状況に基づいて演算される蒸気バランスも演算する請求項１又は２に記載の流体使用設備管理方法。
【請求項４】
前記流体使用機器として、蒸気を使用して発電を行う発電機の作動状態も監視し、
前記エネルギーバランスとして、前記流体使用設備における総蒸気発生量と前記発電機における発電量とに基づいて演算される熱電バランスも演算する請求項１〜３のいずれか一項に記載の流体使用設備管理方法。
【請求項５】
前記エネルギーバランスの演算結果は、演算した前記エネルギーバランスと過去のエネルギーバランス又は基準とするエネルギーバランスとを比較した比較情報を含む請求項１〜４のいずれか１項に記載の流体使用設備管理方法。
【請求項６】
前記流体使用機器の作動状態及び前記ドレントラップの作動状態に加え、バルブの作動状態を監視し、
前記監視結果は、前記バルブの作動状態を含む請求項１〜５のいずれか１項に記載の流体使用設備管理方法。
【請求項７】
前記ドレントラップ及び前記バルブが配備された配管の配管レイアウト、並びに、前記ドレントラップ及び前記バルブの型式及び作動状態から構成されるドレン排出データベースを作成し、
前記監視結果は、前記ドレン排出データベースの情報を含む請求項６に記載の流体使用設備管理方法。
【請求項８】
前記ドレン排出データベースを前記監視結果に基づいて更新し、
前記監視結果は、更新した前記ドレン排出データベースの情報を含む請求項７に記載の流体使用設備管理方法。
【請求項９】
請求項１〜８のいずれか１項に記載の流体使用設備管理方法を実施する流体使用設備管理システムであって、
流体使用設備の各所に配置した検出器と、
前記検出情報に基づき前記流体使用設備における流体使用機器の作動状態及びドレントラップの作動状態を監視する監視部と、前記流体使用設備におけるエネルギーバランスをシミュレートするシミュレート部とを備える管理手段とから構成される流体使用設備管理システム。
【請求項１０】
前記監視部は、前記流体使用機器の作動状態及び前記ドレントラップの作動状態に加え、バルブの作動状態を監視する請求項９に記載の流体使用設備管理システム。
【請求項１１】
前記管理手段は、前記ドレントラップ及び前記バルブが配備された流体配管の配管レイアウト、前記ドレントラップの型式、並びに、前記ドレントラップ及び前記バルブの作動状態から構成されるドレン排出データベースを記憶する記憶部を備える請求項１０に記載の流体使用設備管理システム。
【請求項１２】
前記監視部は、前記ドレン排出データベースを前記監視結果に基づいて更新する請求項１１に記載の流体使用設備管理システム。 
【発明の詳細な説明】
【技術分野】
【０００１】
本発明は、流体使用設備の運転状態を最適化するための流体使用設備管理方法、又は、その流体使用設備管理方法を実施する流体使用設備管理システムに関する。
【背景技術】
【０００２】
産業用プラントとして、蒸気や蒸気以外のガス（空気や、プロパン又はメタン等の各種ガス燃料）などの流体を用いて運転や生産を行う流体使用設備が広く一般に使用されている。例えば、この流体使用設備の一種である蒸気使用設備では、運転により蒸気から凝縮物としてのドレンが生じるので、このドレンを蒸気配管から除去するために、蒸気使用設備の蒸気配管に多数の蒸気トラップが分散配備されている。そして、この蒸気トラップに蒸気漏れやドレンが適切に排出されないといった異常が生じた場合には、エネルギーロスが発生するとともに蒸気使用設備の運転効率が下がって大きな損失が生じる。このため、蒸気使用設備を管理するのに、蒸気使用設備の蒸気配管に分散配備されている蒸気トラップの状態の監視が行われている。【０００３】
従来、蒸気使用設備における個々の蒸気トラップを監視する方法として、センサにより検出したデータをコンピュータに送信する蒸気トラップ監視装置を個々の蒸気トラップにそれぞれ設置し、これら蒸気トラップ監視装置から個々の蒸気トラップのデータをコンピュータに収集して、コンピュータにおいてデータを分析し個々の蒸気トラップの状態を監視する方法が提案されている（例えば、特許文献１参照）。【０００４】
なお、上記事情は蒸気使用設備に限られるものではなく、流体使用設備全般に共通するものであり、また、上記従来の方法は流体使用設備全般に適用できる。この場合、「蒸気」を各種の「流体」に、「蒸気トラップ」を「ドレントラップ」に読み換えるなど各語句を適当な語句に読み換えればよい。
【先行技術文献】
【特許文献】
【０００５】
【特許文献１】アメリカ特許公報ＵＳ７９１２６７５Ｂ
【発明の概要】
【発明が解決しようとする課題】
【０００６】
例えば、蒸気使用設備について上記従来の方法を考えると、上記従来の方法は、個々の蒸気トラップの動作が正常であるかどうかや故障時期の予測など、あくまでも個々の蒸気トラップの状態を監視するに過ぎず、蒸気使用設備の運転状態を最適化するという点では不十分であった。【０００７】
詳しく説明すると、まず、ここでいう最適化というのは、例えば、蒸気使用機器や蒸気トラップなどの蒸気システムを構成する機器の型式が蒸気使用設備の運転に適合したものであるとともにその作動状態が正常であること、蒸気を輸送する配管のレイアウトが適正であること、省蒸気が十分に図られていること、省蒸気の結果としてＣＯ２の削減も図られていること、ドレンの排出が適切に行われていることなどの様々なポイントにおいて、蒸気使用設備における蒸気システムが対象の蒸気使用設備の運転に対し適切なものになっている状態を意味する。例えば、蒸気システムが適切なものになっている状態、つまり、蒸気使用設備の運転状態の最適化状態においては、（１）蒸気系内で発生したドレンは適切かつ速やかに排出され、（２）蒸気系内から蒸気漏れが発生しておらず、（３）蒸気系内が常に蒸気で満たされている、という蒸気利用の原理原則に則った状態にある。【０００８】
そして、蒸気使用設備では、ボイラーで発生させた蒸気を蒸気配管を通じて輸送し、各蒸気使用機器で使用したのち回収するが、蒸気の効率的な使用のため、蒸気使用設備において、蒸気の発生から回収までの間に蒸気は複数の蒸気使用機器で使用され、また、回収されたドレンは再蒸発によりいわゆるフラッシュ蒸気として再利用されるなど、蒸気使用設備における蒸気使用状況は複雑なものとなっている。【０００９】
この複雑な蒸気使用状況のため、蒸気使用設備における蒸気配管やドレン配管の系統も複雑となり、また、蒸気配管に配備される蒸気トラップもその用途や型式などが多岐にわたることとなって、蒸気使用設備における蒸気システムが複雑化、及び、ブラックボックス化している。その結果、蒸気システムの的確な評価が困難となり、現行の蒸気システムがその蒸気使用設備において最適な状態のものなのか（即ち、上記した最適化のためのポイントを満たしているか）が十分に吟味されることなく、蒸気使用設備の運転が行われている。【００１０】
このような現状では、蒸気使用設備の運転状態が最適化されているかが明確でなく、蒸気システムに何らかの根本的な問題を内包したまま蒸気使用設備の運転が行われている可能性がある。そうすると、例えば、蒸気システムがドレン排出に問題を抱えている場合には、蒸気使用機器に負荷を与えるとともに、蒸気使用設備の運転効率低下やエネルギーロスを生じさせることとなったり、蒸気システムにおいて省蒸気が十分に図られていない場合には、コストが嵩み、蒸気の処理量が多くなって蒸気トラップなどの機器に故障が生じ易くなるなど、蒸気システムにおける根本的な問題に派生して様々な問題が生じることとなる。【００１１】
そして、上記従来の蒸気トラップの監視方法により、個々の蒸気トラップの状態を監視して、異常を検出するごとに順次修理・交換を行って、蒸気使用設備における蒸気トラップを健全な状態に保ったとしても、これでは、根本的な問題から派生して起こる問題の１つである蒸気トラップの故障の問題を単に場繋ぎ的に解消しているに過ぎず、蒸気使用設備の蒸気システムにおける根本的な問題を解決するものではなかった。上記従来の方法が、蒸気使用設備を総合的に管理するという点で不十分であるのはこのためである。【００１２】
また、以下に、蒸気使用設備の運転状態が最適化されていないことによる具体的問題を例示する。
（１）蒸気システムがドレン排出に問題を抱えている場合の一例として、蒸気系内からドレンを適切かつ速やかに排出すべき個所（ドレン排出箇所：Condensate Discharge Location：CDL（登録商標））の特性に応じた最適な型式の蒸気トラップが選定されていない場合が考えられる。例えば、ドレンを溜めてはいけない蒸気使用機器や蒸気主管に温調トラップ（蒸気トラップの型式の一つで、ドレンを滞留させることにより温調を行う蒸気トラップ）を使用している場合がこれに該当する。【００１３】
（２）蒸気システムがドレン排出に問題を抱えている場合の別の例として、蒸気トラップ不良の場合が考えられる。蒸気トラップ不良は、「ツマリ不良」と「モレ不良」の二つに大別される。「ツマリ不良」は蒸気トラップが詰まりドレンの排出が円滑に行われない不良で、蒸気使用機器や蒸気システムに重大な問題を起こす危険性がある。「モレ不良」は蒸気トラップの本来機能として蒸気の流出を阻止しながらドレンのみを排出することが要求されるのに対し蒸気が許容限度を超えて流出する不良で、蒸気ロスとなり得る。これらの不良は、大きな経済損失に繋がるだけではなく、ウォーターハンマー等の発生によるプラントの安全性・信頼性の低下、更にはＣＯ２排出量の増大という環境問題に繋がる。【００１４】
（３）蒸気トラップが不良になった場合、速やかに最適型式に交換する必要があるところ、蒸気トラップ上流側に締切バルブが設置されていない場合や、締切バルブの設置場所が不明である場合においては、不良トラップへの蒸気の流入を止めることができないため不良トラップを交換できず、「ツマリ不良」と「モレ不良」に伴うリスクを直ちに解消できないことがある。【００１５】
（４）温度が低下すれば流動性不良を起こすリスクのある生産物や重要計器に取り付ける銅管蒸気トレースが「蒸気システム」として管理されておらず（即ち、体系的な管理が行われている「蒸気システム」の管理項目に銅管蒸気トレースが含まれていない）、銅管蒸気トレースに装備した蒸気トラップが「ツマリ不良」になりそうかどうか、日々、触診で判断し、温度低下していると疑われれば、ジョイントを緩めて意図的に蒸気を漏らす、という危険かつ非経済的な作業が今尚、行われているケースも散見される。【００１６】
（５）蒸気プラントの生産に直結する蒸気使用機器（蒸気タービン、反応釜、リボイラ、各種熱交換器など）が、蒸気系内で発生したドレンは適切かつ速やかに排出されるという上述の蒸気利用の原理原則に合致した状態で管理されているケースは少なく、このため、ドレンの排出に異常を抱えた状態で蒸気使用機器が運転し、DCS（Distributed Control System、分散制御システム）で管理している指標でアラームがなってはじめて管理者がその異常に気付くということが多々ある。【００１７】
（６）蒸気トラップの管理が適切に実施されていなければ、蒸気トラップからの蒸気漏れのリスクは高まり、蒸気トラップの管理が不適切であることに伴って蒸気漏れにより失い得る蒸気の量は、蒸気トラップの台数に比例して増大する。さらに、蒸気系外への蒸気漏れは、蒸気トラップからの漏れだけではなく、蒸気トラップ以上に台数の多い各種のバルブ、継手などからも起こり得るものであり、バルブ、継手などからの漏れも無視できない量となり得る。【００１８】
このように、現状の産業用プラント分野においては、蒸気系内は全く可視化されておらず、蒸気システムが最適状態にあるかどうかは不明であるといえる（ブラックボックス化状態）。しかしながら、例えば、全てのドレン排出箇所が最適化されている（蒸気トラップが詰まりも漏れもない正常状態である）こと、各蒸気使用設備（蒸気トレースも含め）が最適化されていること、さらには熱電バランスも最適化されていること等がそれぞれ「視える化」できれば、もはや蒸気システムはブラックボックスではなく、蒸気システム全体を重要なアセットの一つとしてマネジメント（アセットマネジメント）することが可能となる。【００１９】
なお、本明細書において、「アセットマネジメント」の用語は、産業用プラントの安全安定操業において、ヒューマンエラーの占める割合が今後更に高まる中、各機器の使用許容範囲を明確にして管理することで、ヒューマンエラーを減らすことができるものの意で用いる場合を含む。よって、蒸気システムにおけるアセットマネジメントとは、蒸気トラップの選定（例えば主管に温調トラップを設置した場合等）、蒸気トラップの取付不具合、蒸気トラップ不良の放置等が、産業用プラントを構成する重要機器に与える事故の可能性を考慮し、より広範にアセット対象として蒸気システム（蒸気トラップ、蒸気配管、各種バルブ等を含む）を捉えた概念といえる。【００２０】
なお、上記問題は蒸気使用設備に限られるものではなく、流体使用設備全般に共通するものであり、「蒸気」を各種の「流体」に、「蒸気トラップ」を「ドレントラップ」に読み換えるなど各語句を適当な語句に読み換えることができる。【００２１】
これらの実情に鑑み、本発明の主たる課題は、流体使用設備の運転状態を最適化することのできる流体使用設備管理方法、及び、その方法に用いる流体使用設備管理システムを提供することにある。
【課題を解決するための手段】
【００２２】
本開示に係る流体使用設備管理方法は、
流体として少なくとも蒸気を用い、少なくとも蒸気を発生させるのに、第１燃料と、燃料機器により精製する第２燃料の一部と、前記燃料機器の運転において生じた廃熱と、を用いて蒸気を発生させる流体使用設備の各所に設置した検出器の検出情報に基づき、前記流体使用設備における流体使用機器として、前記燃料機器の作動状態を監視するとともに、ドレントラップの作動状態を監視し、
前記流体使用設備におけるエネルギーバランスとして、少なくとも、前記燃料機器で精製される前記第２燃料の燃料量と蒸気の発生に使用される前記第２燃料の燃料量とに基づいて演算される燃料バランスと、蒸気の発生に用いる前記第１及び第２燃料の燃料使用量を含む蒸気の発生に使用される総燃料使用量に基づき蒸気の発生に使用される総燃料費を求め、前記流体使用設備における総蒸気発生量を前記総燃料費で除算した蒸気発生コストと、を演算し、
この監視結果と前記エネルギーバランスの演算結果とに基づいて前記流体使用設備の運転状態を最適化する。
【００２３】
流体使用設備の一種である蒸気使用設備について説明すると、蒸気使用設備の運転状態を最適化するためには、まず、蒸気使用設備における蒸気システムの状態を明確に把握して（いわゆる、「視える化」して）、蒸気システムに内包された問題を明らかにする必要がある。特に、蒸気システムに内包された問題として、蒸気使用機器（流体使用機器の一種）や蒸気トラップ（ドレントラップの一種）などの型式の適合性や、配管のレイアウト、省蒸気、ドレン排出などの上述した最適化のポイントに関する問題は、蒸気使用設備の施工時では表面化し難く、実際に運転を開始してからその蒸気システムの状態を「視える化」することで明らかにされるものである。【００２４】
そして、蒸気システムの状態の「視える化」には、蒸気使用設備における蒸気使用機器と蒸気トラップとの作動状態が重要となる。蒸気使用機器では蒸気が使用されることにより蒸気の状態が変化することとなり、蒸気使用設備における蒸気トラップでは蒸気配管中のドレンが回収される又は故障により蒸気漏れを起こすなどにより蒸気の状態が変化することとなる。即ち、蒸気使用設備における蒸気使用機器と蒸気トラップとは蒸気状態が変化する箇所である。蒸気システムが最適な状態であるならば、少なくとも蒸気状態が変化する箇所の作動状態は適切なものであり、且つ、そこでの蒸気状態の変化も理想的なものとなるものである。逆言すれば、蒸気状態が変化する箇所の作動状態によって、蒸気システムが最適な状態であるかの「視える化」が図れる。【００２５】
そこで、上記構成では、蒸気使用設備の各所に設置した検出器によって、蒸気使用機器の作動状態と、蒸気トラップの作動状態、即ち、蒸気状態が変化する箇所の作動状態の監視を行う。上記構成によれば、この監視結果に基づくことにより蒸気システムの状態が最適なものであるかを「視える化」できる。そして、蒸気システムの「視える化」により、蒸気システムに内包された問題を明らかにすることができて、改善点を明確にすることが可能となるから、蒸気使用設備の運転状態を最適化することができる。【００２６】
このように、蒸気使用設備の運転状態を最適化することにより、蒸気システムにおけるドレン障害・蒸気ロス・ＣＯ２排出を可能な限り削減して、蒸気システム全体の安全性・信頼性・経済性を高めることのできる、産業用プラントの蒸気システムを対象としたアセットマネジメントの仕組みの構築に貢献することが可能となる。つまり、蒸気システム全体を、「重要アセット」の一つとして捉え、蒸気利用の原理原則（（１）蒸気系内で発生したドレンは適切かつ速やかに排出され、（２）蒸気系内から蒸気モレが発生しておらず、（３）蒸気系内が常に蒸気で満たされている）に則って最適化してそれを維持する仕組みを提供することが可能となる。
さらに、この構成では、ハードとしての蒸気使用機器及び蒸気トラップの監視結果に加え、蒸気使用設備におけるエネルギーバランスを演算して、エネルギーといういわばソフトの面から蒸気システム全体の「視える化」を図る。これにより、例えば、ハードとしての蒸気使用機器及び蒸気トラップの監視結果では蒸気使用設備の運転状態は正常の範囲内にあるのに、ソフトとしてのエネルギーバランスの演算結果で十分な結果が得られない場合には、蒸気使用機器や蒸気トラップの型式や配置、配管レイアウトに何らかの問題があるのではないかという気づきになる。また、ソフトとしてのエネルギーバランスの演算結果から求めた理想的なエネルギーバランスを実現するための改善点を、ハードとしての蒸気使用機器や蒸気トラップの監視結果である蒸気使用設備の細部の具体的情報を用いることで明確なものにできる。このように、蒸気使用設備の運転状態をハード・ソフトの両面から相補的に判断することで、蒸気システムに内包された問題及び改善点を一層明確にできて、蒸気使用設備の運転状態を効果的に最適化できる。
またさらに、この構成によれば、流体使用設備の一種である蒸気使用設備において、例えば石油化学プラントなど、製品として出荷可能な状態にある燃料の一部を蒸気の発生に用いる蒸気使用設備において、演算されるエネルギーバランスが燃料バランス（つまり、生成した燃料のうちどれだけ蒸気使用設備の運転に使用し、どれだけ出荷するかのバランス）を含むから、例えば、蒸気使用設備の蒸気使用状況などの運転状況に対する燃料の出荷量・売上高のバランスから蒸気使用設備の運転状況を把握することができ、これにより、蒸気使用設備の運転状態を一層効果的に最適化できる。
【００２７】
また、上記作用効果を奏するのは蒸気使用設備に限られるものではなく、流体使用設備全般に第１特徴構成の流体使用設備管理方法を適用することで流体使用設備全般でも上記作用効果を得ることができる。この場合、「蒸気」を各種の「流体」に、「蒸気トラップ」を「ドレントラップ」に読み換えるなど各語句を適当な語句に読み換えればよい。【００２８】
以下、本開示に係る流体使用設備管理方法の好適な態様について説明する。但し、以下に記載する好適な態様例によって、本開示の範囲が限定される訳ではない。【００３２】
一つの態様として、前記流体使用設備の運転状態を現行状態から最適化した場合に得られる経済効果又は環境効果を試算すると好適である。【００３３】
つまり、上記した方法は「視える化」を機器の作動状態から図るものや、「視える化」をさらにエネルギーバランスの面から図るものであり、いずれも一見してその損得や最適化の価値は把握し難いものであったが、上記構成によれば、経済効果や環境効果という損得や最適化の価値がわかりやすい形で蒸気システムの「視える化」を図るから、流体使用設備の運転状態を一層効果的に最適化できる。【００３４】
一つの態様として、前記エネルギーバランスとして、前記流体使用設備における蒸気使用状況に基づいて演算される蒸気バランスも演算すると好適である。
【００３５】
つまり、上記構成によれば、流体使用設備の一種である蒸気使用設備において、演算されるエネルギーバランスが蒸気使用状況に基づく蒸気バランス（つまり、蒸気使用設備において、どこでどの程度蒸気が発生し、どこでどの程度蒸気が使用されているかのバランス）を含むから、例えば、蒸気使用設備における蒸気システムにおいてどれだけの蒸気ロスが存在しているのか、どうすればどれだけのロスが削減できるのかなど、省蒸気の観点（さらにはその結果としてのＣＯ２削減の観点）から蒸気使用設備の運転状況を把握することができて、これにより、蒸気使用設備の運転状態を一層効果的に最適化できる。
特に、エネルギーバランスとして燃料バランスを含む方法と組み合わせることにより、蒸気使用設備における省蒸気の効果と、省蒸気に伴い蒸気の発生に使用される燃料量が減少して燃料の出荷量・売上高が増加する効果とを同時に把握することができ、これにより、蒸気使用設備の運転状態を一層効果的に最適化できる。
【００３６】
一つの態様として、前記流体使用機器として、蒸気を使用して発電を行う発電機の作動状態も監視し、前記エネルギーバランスとして、前記流体使用設備における総蒸気発生量と前記発電機における発電量とに基づいて演算される熱電バランスも演算すると好適である。 
【００３７】
つまり、上記構成によれば、流体使用設備の一種である蒸気使用設備において、自ら発電した電気を用いて運転を行う蒸気使用設備において、演算されるエネルギーバランスが熱電バランス（つまり、総蒸気発生量のうちどれだけの蒸気（熱）を発電に使用するかのバランス）を含むから、例えば、燃料単価の変動などによる蒸気発生に要するコストの変動や、買電の電力量・価格変動を考慮した蒸気使用設備における最適な熱電バランスから蒸気使用設備の運転状況を把握することができて、これにより、蒸気使用設備の運転状態を一層効果的に最適化できる。【００４１】
一つの態様として、前記エネルギーバランスの演算結果は、演算した前記エネルギーバランスと過去のエネルギーバランス又は基準とするエネルギーバランスとを比較した比較情報を含むと好適である。【００４２】
つまり、上記構成によれば、演算したエネルギーバランスが過去又は基準のエネルギーバランスと比較してどの程度優れているのか、又は、劣っているのかが把握でき、これにより、流体使用設備の運転状態を一層効果的に最適化できる。【００４３】
一つの態様として、前記流体使用機器の作動状態及び前記ドレントラップの作動状態に加え、バルブの作動状態を監視し、前記監視結果は、前記バルブの作動状態を含むと好適である。【００４４】
流体使用設備の一種である蒸気使用設備について説明すると、蒸気使用設備において、バルブは、その操作により蒸気使用機器や蒸気トラップへの蒸気の流入や流量を制御するものであり、蒸気使用機器及び蒸気トラップの作動状態と密接に関わっている。また、バルブは、蒸気の制御を行う箇所であるため、その箇所において蒸気状態が変化し得る箇所でもある。さらに、バルブは、蒸気使用設備において発生したドレンを排出するためのドレン配管にも配備され、ドレンの流れを制御するものでもある。つまり、上記構成によれば、蒸気使用機器及び蒸気トラップの作動状態やドレンの排出と密接に関わるとともに蒸気状態が変化し得る箇所であるバルブの作動状態を監視して、監視結果にバルブの作動状態を含めるから、蒸気使用機器の作動状態や蒸気トラップの作動状態をより詳細に把握することができるなど蒸気システムを一層詳細に「視える化」できて、これにより、蒸気使用設備の運転状態を一層効果的に最適化できる。【００４５】
また、上記作用効果を奏するのは蒸気使用設備に限られるものではなく、流体使用設備全般にこの流体使用設備管理方法を適用することで流体使用設備全般についても上記作用効果を得ることができる。この場合、「蒸気」を各種の「流体」に、「蒸気トラップ」を「ドレントラップ」に読み換えるなど各語句を適当な語句に読み換えればよい。【００４６】
一つの態様として、前記ドレントラップ及び前記バルブが配備された配管の配管レイアウト、並びに、前記ドレントラップ及び前記バルブの型式及び作動状態から構成されるドレン排出データベースを作成し、前記監視結果は、前記ドレン排出データベースの情報を含むと好適である。【００４７】
流体使用設備の一種である蒸気使用設備について説明すると、蒸気使用設備において、上記したように、蒸気使用設備の運転状態を最適化するポイントの一つに、ドレンの排出が適切に行われていることが挙げられる。そして、このドレンの排出には、ドレンを回収する蒸気トラップだけでなく、その蒸気トラップへの蒸気の流入や流量を制御するバルブやドレン配管に配備されてドレンの流れを制御するバルブも密接に関わっている。さらに、ドレンの円滑かつ効率的な排出には、蒸気トラップやバルブが配備された配管の配管レイアウトが適切であるかの情報も欠かせない。そして、上記構成によれば、ドレンの回収・排出に関連する蒸気トラップ及びバルブが配備された配管の配管レイアウトや、蒸気トラップ及びバルブの型式及び作動状態などのドレン排出に関連する情報から構成されるドレン排出データベースを監視結果に含めるから、ドレンの回収・排出の面で蒸気システムを「視える化」でき、これにより、特にドレンの円滑かつ効率的な回収・排出の観点から、蒸気使用設備の運転状態を一層効果的に最適化できる。【００４８】
また、上記作用効果を奏するのは蒸気使用設備に限られるものではなく、流体使用設備全般にこの流体使用設備管理方法を適用することで流体使用設備全般についても上記作用効果を得ることができる。この場合、「蒸気」を各種の「流体」に、「蒸気トラップ」を「ドレントラップ」に読み換えるなど各語句を適当な語句に読み換えればよい。【００４９】
一つの態様として、前記ドレン排出データベースを前記監視結果に基づいて更新し、前記監視結果は、更新した前記ドレン排出データベースの情報を含むと好適である。【００５０】
つまり、上記構成によれば、流体使用設備における最新のドレン排出データベースの情報を含む監視結果に基づくことにより、流体使用設備の運転状態を一層効果的に最適化できる。【００５１】
本開示に係る、上記した流体使用設備管理方法を実施する流体使用設備管理システムは、
流体使用設備の各所に配置した検出器と、
前記検出情報に基づき前記流体使用設備における流体使用機器の作動状態及びドレントラップの作動状態を監視する監視部と、前記流体使用設備におけるエネルギーバランスをシミュレートするシミュレート部とを備える管理手段と、を備える。【００５２】
つまり、上記構成によれば、上記した流体使用設備管理方法を好適に実施することができて、これにより、上記した流体使用設備管理方法で得られる前述の作用効果を効果的に得ることができる。【００５３】
以下、本開示に係る流体使用設備管理システムの好適な態様について説明する。但し、以下に記載する好適な態様例によって、本開示の範囲が限定される訳ではない。【００５４】
一つの態様として、前記監視部は、前記流体使用機器の作動状態及び前記ドレントラップの作動状態に加え、バルブの作動状態を監視すると好適である。【００５５】
一つの態様として、前記管理手段は、前記ドレントラップ及び前記バルブが配備された流体配管の配管レイアウト、前記ドレントラップの型式、並びに、前記ドレントラップ及び前記バルブの作動状態から構成されるドレン排出データベースを記憶する記憶部を備えると好適である。【００５６】
一つの態様として、前記監視部は、前記ドレン排出データベースを前記監視結果に基づいて更新すると好適である。
【図面の簡単な説明】
【００５７】
【図１】本開示に係る蒸気使用設備の運転状態の最適化の概要図
【図２】蒸気使用設備の蒸気配管系の全体構成の概略図
【図３】蒸気使用設備における蒸気トラップやバルブを示す図
【図４】蒸気使用設備の燃料配管系の全体構成の概略図
【図５】蒸気使用設備の第１中高圧タービンまわりの構成図
【図６】蒸気使用設備の中圧タービンまわりの構成図
【図７】蒸気使用設備管理システムにおける管理手段の構成図
【図８】蒸気発生コストのグラフ情報の出力画像の説明図
【図９】蒸気使用設備の蒸気配管系の出力画像の説明図
【図１０】蒸気使用設備の燃料配管系の出力画像の説明図
【図１１】蒸気使用設備の第１中高圧タービンまわりの出力画像の説明図
【図１２】蒸気使用設備の中圧タービンまわりの出力画像の説明図
【図１３】ドレン排出箇所の出力画像の説明図
【図１４】改善アイデアが列挙された出力画像の説明図
【発明を実施するための形態】
【００５８】
図１は、本開示に係る流体使用設備管理システムを用いた流体使用設備の一種である蒸気使用設備（Steam Application：SA）の運転状態の最適化の方法の概要を示す。運転状態の最適化を行う蒸気使用設備１は、蒸気使用機器（流体使用機器の一種）２、蒸気トラップ３（ドレントラップの一種）、バルブ４、蒸気配管５、サブ機器６（蒸気使用機器２の稼働に関連して動作する機器、蒸気使用機器２の稼働を補助する機器等）から主に構成される。そして、本開示に係る流体使用設備管理システムは、主に、蒸気使用機器２、蒸気トラップ３、バルブ４、蒸気配管５、サブ機器６など図示しないものも含め蒸気使用設備１の各所に配置した検出器Ｄと、検出器Ｄから送信される検出情報を取得するデータ入力部Ｓ１、取得した検出情報に基づき蒸気使用設備１におけるエネルギーバランスをシミュレートするシミュレート部Ｓ２、及び、取得した検出情報に基づき蒸気使用設備１における蒸気使用機器２の作動状態及び蒸気トラップ３の作動状態を監視する監視部Ｓ３を備える管理手段Ｓと、から構成される。
【００５９】
検出器Ｄは通信により検出した検出情報を管理手段Ｓに送信可能に構成されている。この蒸気使用設備監視システムでは、検出器Ｄにより蒸気使用設備１の各所の検出情報を管理手段Ｓに送信して、管理手段Ｓにより蒸気使用設備１の全体の情報を一元的に管理する。
【００６０】
管理手段Ｓは、検出器Ｄから送信される蒸気使用設備１の各所の検出情報をデータ入力部Ｓ１で取得する。取得した検出情報に基づいて、シミュレート部Ｓ２は、取得した蒸気使用設備１の各所の検出情報に基づいて、蒸気使用設備１における現行のエネルギーバランスを演算し、この演算結果としてエネルギーバランス評価情報Ｉａを生成する。そして、監視部Ｓ３は、蒸気使用機器２の作動状態の監視結果として、蒸気使用機器２の運転効率や動作異常に関する機器評価情報Ｉｂを生成し、蒸気トラップ３の作動状態の監視結果として、蒸気トラップ３などのドレン排出に関連する箇所（以下ではドレン排出箇所と称する）における蒸気漏れやドレン排出異常などに関するドレン排出評価情報Ｉｃを生成する。
【００６１】
詳しく説明すると、エネルギーバランス評価情報Ｉａは、蒸気使用設備１における蒸気使用状況に基づく蒸気バランス（つまり、蒸気使用設備において、どこでどの程度蒸気が発生し、どこでどの程度蒸気が使用されているかのバランス）、蒸気を使用して発電を行う発電機を有する場合は蒸気使用設備１における総蒸気発生量と発電機における発電量とに基づく熱電バランス（つまり、総蒸気発生量のうちどれだけの蒸気を発電に使用するかのバランス）、燃料を精製する燃料機器を含む場合は蒸気使用設備１において精製される燃料量と蒸気使用設備１で用いる蒸気の発生に使用される燃料量とに基づく燃料バランス（つまり、生成した燃料のうちどれだけ蒸気使用設備の運転に使用し、どれだけ出荷するかのバランス）などの各種のエネルギーバランスの評価情報から構成される。これにより、各種エネルギーの面から蒸気システムを「視える化」する。
【００６２】
監視部Ｓ３における蒸気使用機器２の作動状態の監視は、監視対象の蒸気使用機器２の検出情報だけでなく、対象の蒸気使用機器２を出入りする蒸気の状態を制御する蒸気制御器（例えば、蒸気中の凝縮水などのドレンを回収する蒸気トラップ２、蒸気配管における蒸気の流れる方向や流量を制御するバルブ３など）の検出情報と、対象の蒸気使用機器２に付属する蒸気配管５の検出情報と、蒸気使用機器２に付属するサブ機器６の検出情報とに基づく。そして、これら検出情報の各々、又は、予め設定された特定の組み合わせに対する様々なモニタリング項目に基づいて蒸気使用機器２の作動状態の監視を行う。
【００６３】
このように、監視部Ｓ３における蒸気使用機器２の作動状態の監視は、蒸気使用機器２の検出情報だけでなく、その蒸気使用機器２の作動に関連するあらゆる機器の情報に基づいて総合的に行う。多くの情報に基づくことで、蒸気使用機器２の作動状態の適否や異常の察知を的確に行える。
【００６４】
特に、蒸気制御器の検出情報を用いることで、蒸気使用機器２に出入りする蒸気が適切なものであるか（その温度やドレンの量など）や、蒸気使用機器２を蒸気が適切に通過しているかを推定することができ、これにより、蒸気使用機器２を作動させても問題ないか、このまま作動させていても不具合が生じる虞がないかなどの判断が可能となって、将来の異常発生の可能性を含めた蒸気使用機器２の作動状態の適否を的確に評価できる。また、蒸気使用機器２に不具合が生じる前の段階として生じる蒸気制御器の異常を察知することで、蒸気使用機器２の異常の兆候を早期に察知することができる。
【００６５】
そして、このような蒸気使用機器２の作動状態の監視の結果として、監視部Ｓ３は蒸気機器評価情報Ｉｂを生成し、蒸気使用機器２の異常の兆候や将来の異常発生の可能性を含めた蒸気使用機器２の作動状態の面から蒸気システムを「視える化」する。
【００６６】
また、監視部Ｓ３における蒸気トラップ３の作動状態の監視において、必要に応じて、検出情報に基づいてバルブ４の作動状態もあわせて監視し、バルブ４の作動状態も含めた監視結果として、ドレン排出評価情報Ｉｃを生成する。さらには、予め蒸気トラップ３及びバルブ４が配備された配管５の配管レイアウトや、蒸気トラップ３及びバルブ４の型式及び作動状態などのドレン排出に関連する情報から構成されるドレン排出データベースを作成しておき、監視部Ｓ３は、取得した蒸気使用設備１の各所の検出情報に基づいてこのドレン排出データベースを更新し、更新後のドレン排出データベースをドレン排出評価情報Ｉｃに含める。
このようなドレン排出評価情報Ｉｃにより、蒸気トラップ３の作動状態を含めたドレン排出の面で蒸気システムを「視える化」する。
【００６７】
管理手段Ｓは、これらエネルギーバランス評価情報Ｉａと、蒸気機器評価情報Ｉｂと、ドレン排出評価情報Ｉｃとの３つの観点から蒸気システムの「視える化」を行い、蒸気使用設備Ｐの管理担当者は、これら評価情報Ｉａ〜Ｉｃを相補的に判断することで蒸気システムに内包された問題及び改善点を明確にできて、蒸気使用設備の運転状態の最適化が可能となる。
【００６８】
なお、上記流体使用設備管理システムは流体使用設備全般に適用することができ、この場合、上記実施形態において「蒸気」を各種の「流体」に、「蒸気トラップ」を「ドレントラップ」に読み換えるなど各語句を適当な語句に読み換えればよい。
【００６９】
次に、より具体的な例として、この流体使用設備管理システムを石油化学プラントである蒸気使用設備Ｐに適用した例について説明する。
【００７０】
図２は、蒸気使用設備Ｐの蒸気配管系の全体構成の概略図を示す。この蒸気使用設備Ｐの蒸気配管系は、主に、それぞれ異なる圧力の蒸気を給送する４つの蒸気管１０〜１３、蒸気発生機器Ｇｓ、蒸気使用機器Ｕｓから構成される。この蒸気使用設備Ｐでは、蒸気発生機器Ｇｓで発生した蒸気が各蒸気管１０〜１３を通じて各種の蒸気使用機器Ｕｓに対し供給されて種々の用途で使用される。
【００７１】
各蒸気管１０〜１３について具体的に説明すると、１０は高圧の蒸気（本実施形態では１２０００ｋＰａ（Ｇ））を給送する高圧蒸気管、１１は中高圧の蒸気（本実施形態では４０００ｋＰａ（Ｇ））を給送する中高圧蒸気管、１２は中圧の蒸気（本実施形態では１０００ｋＰａ（Ｇ））を給送する中圧蒸気管、１３は低圧の蒸気（本実施形態では１４０ｋＰａ（Ｇ））を給送する低圧蒸気管である。
【００７２】
高圧蒸気管１０には、蒸気発生機器Ｇｓである第１ボイラー１４から高圧の蒸気が供給される。第１ボイラー１４は燃料ガスと燃料Ａ（例えば石油、石炭など）とを併用して蒸気を発生させる。また、第１ボイラー１４における蒸気の発生に用いる燃料ガスと燃料Ａの比率は、蒸気発生量や蒸気使用設備の運転状況などに応じて適宜変化するようになっている。
【００７３】
高圧蒸気管１０に供給された高圧の蒸気は、高圧蒸気管１０に接続された蒸気使用機器Ｕｓである第１タービン発電機１５に供給され、そこで使用される。高圧蒸気管１０から第１タービン発電機１５に供給された高圧の蒸気は、第１タービン発電機１５での発電に使用されることで中高圧の蒸気に減圧されたのち、中高圧蒸気管１１に供給される。
【００７４】
また、高圧蒸気管１０は高圧蒸気管１０の高圧の蒸気を減圧して中高圧の蒸気として中高圧蒸気管１１に供給する第１減圧供給路１６と接続してある。この第１減圧供給路１６に介装した制御弁（図示しない）の開閉操作により高圧蒸気管１０における一部蒸気が適宜に中高圧蒸気管１１に供給される。
【００７５】
中高圧蒸気管１１には、第１タービン発電機１５、第１減圧供給路１６、並びに、蒸気発生機器Ｇｓである第２ボイラー１７及び廃熱ボイラー１８〜２１から中高圧の蒸気が供給される。第２ボイラー１７は燃料ガスを用いて蒸気を発生させる。廃熱ボイラー１８〜２１（及び、後述する廃熱ボイラー２８及び３１）は、蒸気使用設備Ｐの運転（例えば、後述する燃焼炉の運転）において生じた廃熱により蒸気を発生させる。即ち、廃熱ボイラー１８〜２１（及び、後述する廃熱ボイラー２８及び３１）では実質的に蒸気発生のための燃料は要さない。
【００７６】
中高圧蒸気管１１に供給された中高圧の蒸気は、中高圧蒸気管１１に接続された蒸気使用機器Ｕｓである第２タービン発電機２２、第１中高圧タービン２３、第２中高圧タービン２４、第３中高圧タービン２５、及び、熱交換器２６に供給され、そこで使用される。
【００７７】
中高圧蒸気管１１から第２タービン発電機２２に供給された中高圧の蒸気は、第２タービン発電機２２での発電に使用されることで中圧の蒸気又は低圧の蒸気に減圧されたのち、中圧蒸気管１２又は低圧蒸気管１３に供給される。中高圧蒸気管１１から第１中高圧タービン２３に供給された中高圧の蒸気は、第１中高圧タービン２３で使用されることで中圧の蒸気に減圧されたのち、中圧蒸気管１２に供給される。中高圧蒸気管１１から第２中高圧タービン２４に供給された中高圧の蒸気は、第２中高圧タービン２４で使用されることで低圧の蒸気に減圧されたのち、低圧蒸気管１３に供給される。
【００７８】
中高圧蒸気管１１は中高圧蒸気管１１の中高圧の蒸気を減圧して中圧の蒸気として中圧蒸気管１２に供給する第２減圧供給路２７と接続してある。この第２減圧供給路２７に介装した制御弁（図示しない）の開閉操作により中高圧蒸気管１１における一部蒸気が適宜に中圧蒸気管１２に供給される。
【００７９】
中圧蒸気管１２には、第２タービン発電機２２、第１中高圧タービン２３、第２減圧供給路２７、及び、蒸気発生機器Ｇｓである廃熱ボイラー２８を通じて中圧の蒸気が供給される。
【００８０】
中圧蒸気管１２に供給された中圧の蒸気は、中圧蒸気管１２に接続された蒸気使用機器Ｕｓである中圧タービン２９、及び、熱交換器３０に供給され、そこで使用される。中圧蒸気管１２から中圧タービン２９に供給された中圧の蒸気は、中圧タービン２９で使用されることで低圧の蒸気に減圧されたのち、低圧蒸気管１３に供給される。
【００８１】
低圧蒸気管１３には、第２タービン発電機２２、第２中高圧タービン２４、中圧タービン２９、及び、蒸気発生機器Ｇｓである廃熱ボイラー３１を通じて低圧の蒸気が供給される。
【００８２】
低圧蒸気管１３に供給された低圧の蒸気は、蒸気使用機器Ｕｓである脱気器３２、及び、熱交換器３３に供給され、そこで使用される。脱気器３２では、低圧蒸気管１３から供給される低圧蒸気による加熱により、第１ボイラー１４，第２ボイラー１７、廃熱ボイラー１８〜２１，２８，３１に対し蒸気源として供給する水の脱気が行われる。また、低圧蒸気管１３における余分の低圧の蒸気はベント管３４を通じ不要蒸気として系外に放出される。
【００８３】
このように、蒸気使用設備Ｐは、蒸気発生機器Ｇｓで発生した蒸気が蒸気使用機器Ｕｓで使用されたのち、より低圧側の蒸気管に接続された蒸気使用機器Ｕｓで順次再利用される構成となっている。
【００８４】
また、蒸気使用設備Ｐの蒸気配管系の各部には、各部を通過する蒸気の情報（流量、圧力、温度など）や、蒸気発生機器Ｇｓにおける蒸気発生量、蒸気使用機器Ｕｓにおける蒸気使用量、第１及び第２タービン発電機１５，２２における発電量などの情報を検出して管理手段Ｓに送信する各種検出器Ｄ（図示しない）が設けられている。この検出器Ｄにより検出された情報は管理手段Ｓに送信される。なお、機器の設置場所や機器の検出する情報の監視の重要性に応じて、点検員による点検により各種情報を収集して、点検員が各種情報を管理手段Ｓに入力するようにしてもよい。
【００８５】
なお、図２はあくまでも概略図であり、図２において各機器１０〜３４はそれぞれ１つずつしか表示していないが、必ずしも蒸気使用設備Ｐの蒸気配管系において各機器１０〜３４がそれぞれ１つずつだけ設けられていることを意味しない。例えば、図２において、第１タービン発電機１５は１つしか表示されていないが、これは、蒸気使用設備Ｐの全体において第１タービン発電機１５が１つのみ設けられていることを示すのではなく、蒸気使用設備Ｐの全体において複数設けられている第１タービン発電機１５が、簡略化して１の第１タービン発電機１５としてまとめて表示されていることを含む。これは他の各機器１０〜３４についても同様である。
【００８６】
図３に示すように、蒸気使用設備Ｐにおける蒸気配管系の各部には、多数の蒸気トラップＴやバルブＢが分散配備されている。そして、機器状態検出用のセンサを備え、検出した機器状態情報（温度や振動など）を位置情報や設置機器の型式情報などとともに管理手段Ｓに送信する検出器Ｄが、監視対象として設定した蒸気トラップＴやバルブＢごとに装備されている。これにより、監視対象とする各蒸気トラップＴや各バルブＢの機器状態情報が管理手段Ｓに集計され、管理手段Ｓにより、ドレン排出箇所（蒸気トラップＴやバルブＢ）の状態を常時又は定期的に監視できる。
【００８７】
なお、検出器Ｄを蒸気トラップＴやバルブＢに直接装備することなく、その近傍に装備して間接的に監視対象の蒸気トラップＴやバルブＢの機器状態情報（温度や振動など）を検出するようにしてもよい。
【００８８】
また、設置場所などのドレン排出箇所の設置環境やドレン排出箇所の監視の重要性によっては、検出器Ｄを用いず、点検員が各ドレン排出箇所（蒸気トラップＴやバルブＢ）の機器状態情報を可搬式の検出器により収集し、収集した機器状態情報を管理手段Ｓに入力するようにしてもよい。この場合、この蒸気使用設備Ｐにおいて、各ドレン排出箇所の設置環境や監視の重要性などの条件に応じて、各ドレン排出箇所を検出器Ｄにより機器状態情報を収集するものと点検員による点検により機器状態情報を収集するものとに分類してもよい。
【００８９】
図４は、蒸気使用設備Ｐの燃料配管系の一部構成を示す。この蒸気使用設備Ｐの燃料配管系は、２つの燃料ガス管４０，４１、燃焼炉４２〜４５、上記した第１及び第２ボイラー１４，１７、液体のＣ４留分の燃料を貯留する燃料タンク４６、Ｃ４留分の燃料が供給されるガスタービン４７などから構成される。以下では、燃料ガス管４０，４１に燃料ガスを供給する機器を燃料ガス発生機器Ｇｆ、燃料ガス管４０，４１から燃料ガスの供給を受ける機器を燃料ガス使用機器Ｕｆとする。
【００９０】
各燃料ガス管４０，４１について具体的に説明すると、４０は高圧の燃料ガスを輸送する高圧ガス管、４１は低圧の燃料ガスを輸送する低圧ガス管である。
【００９１】
高圧ガス管４０では、燃料ガス発生機器Ｇｆである燃焼炉４２，４３から供給される高圧の燃料ガスが図示しない輸送先へ輸送される。また、高圧ガス管４０は、高圧ガス管４０の高圧の燃料ガスを減圧して低圧の燃料ガスとして低圧ガス管４１に供給する供給路４８と接続してある。この供給路４８に介装した制御弁（図示しない）の開閉操作により高圧ガス管４０における燃料ガスが適宜に低圧ガス管３１に供給される。
【００９２】
低圧ガス管４１では、供給路４８から供給される低圧の燃料ガスが図示しない輸送先へ輸送され、輸送される低圧の燃料ガスの一部は、燃料ガス使用機器Ｕｆである燃焼炉４４，４５、上述した第１及び第２ボイラー１４，１７に供給される。燃料ガスが供給された燃焼炉４４，４５はＣ４留分の燃料を発生させて、発生したＣ４留分の燃料は燃料タンク４６に貯留されるとともに、その一部が必要に応じて燃料ガス使用機器Ｕｆであるガスタービン４７に供給される。第１及び第２ボイラー１４，１７は、供給される燃料ガスにより蒸気を発生させる。また上述したように第１ボイラー１４には燃料ガスとは異なる燃料Ａ（図示しない）も供給される。
【００９３】
蒸気使用設備Ｐの燃料配管系の各部には、各部を通過する燃料ガスの情報（流量、圧力、温度など）や、燃料ガス発生機器Ｇｆにおける燃料ガス発生量、燃料ガス使用機器Ｕｆにおける燃料使用量、燃料タンクに貯留された液体燃料の量などの情報を検出して位置情報や型式情報などとともに管理手段Ｓに送信する検出器Ｄ（図示しない）が設けられている。この検出器Ｄにより検出された情報は管理手段Ｓに送信される。なお、機器の設置場所や機器の検出する情報の監視の重要性に応じて、点検員による点検により各種情報を収集して、点検員が各種情報を管理手段Ｓに入力するようにしてもよい。
【００９４】
なお、図３と同様に、図４における各機器１４，１７，４０〜４８は、図４においてそれぞれ１つずつしか表示していないが、必ずしも蒸気使用設備Ｐの燃料配管系において各機器１４，１７，４０〜４８がそれぞれ１つずつだけ設けられていることを意味せず、蒸気使用設備Ｐの全体において複数設けられている各機器１４，１７，４０〜４８が、簡略化して１つにまとめて表示されていることを含む。
【００９５】
次に、この蒸気使用設備Ｐにおける蒸気使用機器の用途及び蒸気使用機器まわりの構成について例示する。
例えば、図５は蒸気使用機器としての第１中高圧タービン２３の用途の１つを示す第１中高圧タービン２３まわりの構成図である。この第１中高圧タービン２３まわりでは液体燃料の生成が行われる。
【００９６】
具体的に説明すると、第１中高圧タービン２３はコンプレッサー５０と連結してあり、中高圧蒸気管１１と連通する蒸気入口路５１から第１中高圧タービン２３に蒸気Ｓｔが供給されることによりコンプレッサー５０は駆動する。このコンプレッサー５０の駆動により燃料ガス供給路５３からコンプレッサー５０に供給される燃料ガスＦが液体燃料Ｌに圧縮生成される。そして、生成された液体燃料Ｌは液体燃料供給路５４を通じて排出される。蒸気入口路５１から第１中高圧タービン２３に供給された蒸気Ｓｔは中圧蒸気管１２と連通する蒸気出口路５２を通じて排出される。また、第１中高圧タービン２３に供給される蒸気Ｓｔの量は調節バルブ５５により調節可能に構成されている。
【００９７】
第１中高圧タービン２３及びコンプレッサー５０は、前記した中圧タービン２９と連結されたタービンポンプ５６及びモーター５７により駆動するモータポンプ５８と潤滑油供給路５９を介して接続されている。中圧タービン２９に中圧蒸気管１２と連通する蒸気入口路６０から蒸気Ｓｔが供給されることによりタービンポンプ５６は駆動する。蒸気入口路６０から中圧タービン２９に供給された蒸気Ｓｔは中圧蒸気管１２と連通する蒸気出口路６１を通じて排出される。これらタービンポンプ５６及びモータポンプ５８の駆動により、第１中高圧タービン２３及びコンプレッサー５０に潤滑油Ｏが供給される。潤滑油Ｏが安定的に供給されることにより、第１中高圧タービン２３及びコンプレッサー５０は円滑に駆動する。
【００９８】
また、基本的には、第１中高圧タービン２３及びコンプレッサー５０への潤滑油Ｏの供給はモータポンプ５８が行い、潤滑油Ｏの供給圧力が設定値以下になった場合に、タービンポンプ５６による潤滑油Ｏの供給も行う。このため、潤滑油Ｏの供給圧力が設定値以下になった場合に、調節バルブ６２の調節によりタービンポンプ５６に所定の運転をさせるのに必要な量の蒸気Ｓｔが中圧タービン２９に供給される。なお、潤滑油Ｏの供給をモータポンプ５８でのみ行う場合でも、調節バルブ６２の調節により暖気のためのスローロール運転を行う程度の蒸気Ｓｔが中圧タービン２９に供給される。
【００９９】
第１中高圧タービン２３の蒸気入口路５１及び蒸気出口路５２、中圧タービン２９の蒸気入口路６０及び蒸気出口路６１、並びに、中圧タービン２９には蒸気トラップＴ（Ｔ１〜Ｔ７）が配備されている。そして、各蒸気トラップＴを監視対象として、上記した検出器Ｄにより各蒸気トラップＴの機器状態情報（温度、振動など）が検出され、管理手段Ｓに送信される。
【０１００】
第１中高圧タービン２３の蒸気入口路５１及び蒸気出口路５２、コンプレッサー５０の燃料ガス供給路５３及び液体燃料供給路５４、並びに、潤滑油供給路５９には検出器Ｄとしての圧力計６３〜６８が装備され、各場所を流れる流体の圧力が検出される。第１中高圧タービン２３の蒸気入口路５１、及び、コンプレッサー５０の液体燃料供給路５４には検出器Ｄとしての流量計６９，７０が装備され、蒸気Ｓｔ又は液体燃料Ｌの流量が検出される。また、第１中高圧タービン２３と接続された検出器Ｄとしての回転数計７１により第１中高圧タービン２３の回転数が計測される。また、モーター５８には検出器Ｄとしての温度振動センサ７２が装備されており、モーター５８の温度や振動が検出される。そして圧力計６３〜６８、流量計６９，７０、回転数計７１、温度振動センサ７２で検出された各種情報は管理システムＳに送信される。
【０１０１】
同じく、蒸気使用設備Ｐにおける蒸気使用機器Ｕｓの用途及び蒸気使用機器Ｕｓまわりの構成の例示として、図６に蒸気使用機器Ｕｓとしての中圧タービン２９まわりの構成図を示す。図６は、図５における中圧タービン２９とは別の中圧タービン２９であり、図５における中圧タービン２９と異なる用途を示す。
この中圧タービン２９まわりでは廃熱ボイラー１８〜２１，２８，３１への蒸気発生用の水の供給が行われる。
【０１０２】
具体的に説明すると、中圧タービン２９まわりは、中圧タービン２９と連結されたタービンポンプ８０、モーター８１により駆動するモータポンプ８２により構成される。タービンポンプ８０は中圧蒸気管１２と連通する蒸気入口路８３から中圧タービン２９に蒸気Ｓｔが供給されることにより駆動する。これらタービンポンプ８０及びモータポンプ８２の駆動により、給水路８５を通じて廃熱ボイラー１８〜２１，２８，３１へ蒸気発生用の水Ｗが供給される。蒸気入口路８３から中圧タービン２９に供給された蒸気Ｓｔは低圧蒸気管１３と連通する蒸気出口路８４を通じて排出される。中圧タービン２９に供給される蒸気Ｓｔの量は調節バルブ８６により調節可能に構成されている。
【０１０３】
基本的には、廃熱ボイラー１８〜２１，２８，３１への蒸気発生用の水Ｗの供給はモータポンプ８２が行い、水Ｗの供給圧力が設定値以下になった場合にタービンポンプ８０による水Ｗの供給も行われる。このため、水Ｗの供給圧力が設定値以下になった場合にのみ、調節バルブ８６の調節によりタービンポンプ８０に所定の運転をさせるのに必要な量の蒸気Ｓｔが中圧タービン２９に供給される。水Ｗの供給をモータポンプ８２でのみ行う場合は、蒸気入口路８３からの蒸気Ｓｔの供給は行われない。なお、蒸気出口路８４の蒸気Ｓｔにより中圧タービン２９が暖気される。
【０１０４】
タービンポンプ８０、並びに、タービンポンプ８０の入口側の給水路８５ａ及び出口側の給水路８５ｂには、蒸気Ｓｔを通過させるトレース配管８７がそれぞれ設けられている。そして、このトレース配管８７への蒸気Ｓｔの供給と供給蒸気Ｓｔの遮断を適宜繰り返すことにより、又は通過させる蒸気量や蒸気Ｓｔの温度を変化させることにより、そこを流れる水Ｗの温度が適温に保たれる。供給蒸気Ｓｔから変化し、トレース配管８７に滞留した復水や凝縮水などのドレンは、各トレース配管８７に装備された蒸気トラップＴ（Ｔ１２〜１４）により排出される。
【０１０５】
トレース配管８７に加え、中圧蒸気管１２、並びに、中圧タービン２９の蒸気入口路８３及び蒸気出口路８４にも蒸気トラップＴ（Ｔ８〜１１）は配備されている。そして、各蒸気トラップＴを監視対象として、上記した検出器Ｄにより各蒸気トラップＴの機器状態情報（温度、振動など）が検出され、管理手段Ｓに送信される。
【０１０６】
中圧蒸気管１２には検出器Ｄとしての圧力計８８及び流量計８９が装備されており、中圧蒸気管１２から中圧タービン２９の蒸気入口路８３に供給される蒸気Ｓｔの圧力及び流量が検出される。給水路８５にも検出器Ｄとしての圧力計９０が装備されており、廃熱ボイラー１８〜２１，２８，３１へ供給される蒸気発生用の水Ｗの吐出圧力が検出される。中圧タービン２９には検出器Ｄとしての回転数計９１が装備されており、中圧タービン２９の回転数が検出される。モーター８１には検出器Ｄとしての電流計９２及び温度振動センサ９３が装備されており、モーター８１の電流値、温度、振動が検出される。そして検出された各種情報は管理システムＳに送信される。
【０１０７】
次に、蒸気使用設備Ｐに対して適用する管理手段Ｓについて説明する。図７は管理手段Ｓのシステム構成を示す。管理手段Ｓは、データ入力部Ｓ１、シミュレート部Ｓ２、監視部Ｓ３、基準化演算部Ｓ４、閾値設定部Ｓ５、各種情報を記憶する記憶部Ｓ６、シミュレート部Ｓ２及び監視部Ｓ３に対する指示が入力される指示入力部Ｓ７とから構成される。
【０１０８】
データ入力部Ｓ１は、蒸気使用設備Ｐに設けた各検出器Ｄから送信される情報（又は点検員により収集された情報）を取得する。なお、取得される各種情報は下記に示すように情報Ｊａ〜Ｊｄに分類されている。
【０１０９】
詳しくは、取得された各種情報は、蒸気使用設備Ｐの蒸気配管系の各部を通過する蒸気量などの蒸気配管系情報Ｊａと、蒸気使用設備Ｐの燃料ガス配管系の各部を通過する燃料ガス量などに基づく燃料配管系情報Ｊｂと、蒸気使用設備Ｐにおける機器（蒸気使用機器Ｕｓだけでなく蒸気発生機器Ｇｓなども含む）ごとにその機器の情報とその周辺機器や配管などの情報を関連付けた状態でまとめた機器情報Ｊｃと、蒸気使用設備Ｐにおけるドレン排出箇所の状態情報をまとめたドレン排出箇所情報Ｊｄとに分類されている。
【０１１０】
蒸気配管系情報Ｊａは、具体的には、図２に示した、蒸気発生機器Ｇｓによる発生蒸気、蒸気発生機器Ｇｓなどによる各蒸気管１０〜１３への供給蒸気、各蒸気使用機器Ｕｓによる使用蒸気、各タービン発電機又はタービン１５，２２〜２４，２９から各蒸気管１０〜１３への供給蒸気、ベント管３４からの放出蒸気、第１及び第２減圧供給管１６、２７から中高圧及び中圧蒸気管１１，１２への供給蒸気、各蒸気管１０〜１３に接続された蒸気トラップＴ（例えば、図５、図６）での蒸気通過損失量と管中の凝縮とを併せた不明蒸気などの主な蒸気の情報（流量、圧力、温度などの情報）、各タービン発電機１５、２２での発電量の情報、蒸気使用設備Ｐの電力需要や受電量の情報などである。
【０１１１】
燃料配管系情報Ｊｂは、具体的には、燃料発生機器Ｇｆによる発生燃料ガス、燃料発生機器Ｇｆからの高圧ガス管４０への供給燃料ガス、燃料使用機器Ｕｆによる使用燃料ガス、供給路４８から低圧ガス管４１への供給燃料ガスなどの主な燃料ガスの情報（流量、圧力、温度などの情報）、燃焼炉４４，４５で発生するＣ４留分の燃料の量の情報、ガスタービン４７でのＣ４留分の燃料の使用量、燃料タンク４６のＣ４留分の燃料の貯留量などのＣ４留分の燃料の情報、第１ボイラー１４への燃料Ａの供給量の情報、第１及び第２ボイラー１４、１７において蒸気を発生させるのに要した燃料費の情報などである。
【０１１２】
機器情報Ｊｃは、蒸気使用機器Ｕｓである第１中高圧タービン２３を例にすると、対象の第１中高圧タービン２３やその周辺の蒸気トラップＴやコンプレッサー５０などの周辺機器に装備された検出器Ｄからの各種情報を関連付けた状態でまとめた情報である。
【０１１３】
ドレン排出箇所情報Ｊｄは、蒸気使用設備Ｐにおける監視対象の蒸気トラップＴ及びバルブＢの機器状態情報（温度、振動など）と各蒸気トラップＴやバルブＢの位置関係及び蒸気トラップＴとバルブＢとの対応関係とを関連付けた情報である。
【０１１４】
また、記憶部Ｓ６には、各情報Ｊａ〜Ｊｄの各値に対する基準値や、蒸気使用設備における各機器（蒸気発生機器Ｇｓ、蒸気使用機器Ｕｓ、燃料発生機器Ｇｆ、燃料使用機器Ｕｆやその周辺機器、各種配管など）の仕様や各蒸気発生機器Ｇｓで使用する燃料の種類・価格などの基本情報をまとめた基準情報Ｊｅ、蒸気使用設備に対する改善アイデアとその具体的実行内容をまとめた改善アイデア情報Ｊｆ、予め点検などにより作成した蒸気トラップＴ及びバルブＢが配備された配管の配管レイアウトや、蒸気トラップＴ及びバルブＢの型式、作動状態、位置などのドレン排出箇所に関連する情報から構成されるドレン排出データベースＤｂを格納してある。各基準値としては、蒸気使用設備Ｐの設計時における各情報の値や、蒸気使用設備Ｐの点検において検出された値などを格納してある。
【０１１５】
そして、データ入力部Ｓ１は、各検出器Ｄから送信され、又は、点検員により収集された情報Ｊａ〜Ｊｄに加え、これら基準情報Ｊｅ、改善アイデア情報Ｊｆ、ドレン排出データベースＤｂを記憶部Ｓ６から取得する。つまり、データ入力部Ｓ１は、各種情報Ｊａ〜Ｊｆ、Ｄｂを取得する。そして、これら取得された情報に基づいて、シミュレート部Ｓ２においてエネルギーバランス評価情報Ｉａが生成され、監視部Ｓ３において監視結果としての蒸気機器評価情報Ｉｂとドレン排出評価情報Ｉｃとが生成される。そして、指示入力部Ｓ７により選択された各種情報Ｉａ〜Ｉｃが出力手段Ｓ８に表示される。
【０１１６】
次に、シミュレート部Ｓ２におけるエネルギーバランス評価情報Ｉａの生成について説明する。エネルギーバランス評価情報Ｉａは、蒸気発生コスト評価情報Ｉａ１、蒸気配管系評価情報Ｉａ２、燃料配管系評価情報Ｉａ３から構成される。
【０１１７】
蒸気発生コスト評価情報Ｉａ１について説明すると、一般に、蒸気使用設備における蒸気発生機器で蒸気を発生させるために必要なコストは、例えば、各蒸気発生機器における蒸気発生量、各蒸気発生機器で使用する燃料の種類・価格・使用量（２種以上の燃料を併用する場合は各燃料について）、各蒸気発生機器における燃料使用量に対する蒸気発生効率など、複数の蒸気発生コスト要因により形成される。また、これらの蒸気発生コスト要因は蒸気使用設備の運転状態を反映する。
【０１１８】
そこで、管理手段Ｓでは、蒸気使用設備の運転状態を反映する複数の蒸気発生コスト要因をわかりやすい単一の基準値にした蒸気発生コストＣを演算し、蒸気発生コストＣに基づいて、蒸気システムをコストの面から評価するとともに、蒸気使用設備の運転状態を特に蒸気使用設備に対する改善が必要であるか（改善必要性）について評価する蒸気発生コスト評価情報Ｉａ１を生成する。蒸気使用設備に対する改善必要性の評価は、蒸気使用設備に対し何らかの問題がある、又は、改善点があることの気づきになり、蒸気使用設備の運転状態の最適化の助けになる。
【０１１９】
蒸気発生コスト評価情報Ｉａ１の生成は、まず、基準化演算部Ｓ４において、複数の蒸気発生コスト要因を単一の基準値に基準化（又は規格化）した値である蒸気発生コストＣを演算する。例えば、蒸気発生コスト要因としては、各蒸気発生機器Ｇｓにおける蒸気発生量、各蒸気発生機器Ｇｓにおける燃料使用量、その燃料の種類や価格を用いる。
【０１２０】
より具体的には、蒸気発生機器Ｇｓにおける総蒸気発生量を、各ボイラー１４、１７〜２１，２８，３１による発生蒸気量を合計することにより求める。次に、蒸気発生機器Ｇｓにおける総燃料費を、第１及び第２ボイラー１４、１７における各燃料の燃料使用量（第１ボイラー１４については燃料ガスと燃料Ａ夫々の使用量、第２ボイラーについては燃料ガスの使用量）と各燃料の価格に基づいて求める（廃熱ボイラー１８〜２１，２８，３１については蒸気使用設備Ｐの運転において生じた廃熱により蒸気を発生させるため除いてある）。そして、蒸気発生機器Ｇｓにおける総蒸気発生量を、蒸気発生機器Ｇｓにおける総燃料費で除することにより蒸気発生コストＣを演算する。
【０１２１】
また、閾値設定部Ｓ５において、基準情報Ｊｅのうち、蒸気使用設備Ｐにおける蒸気発生コストＣの基準値に基づいて、蒸気使用設備に対する改善必要性を評価するための閾値を設定する。具体的には、基準値よりも高く蒸気使用設備に対する改善が必要であることの基準とする第１閾値ｘ１、基準値よりも低く蒸気使用設備の運転が良好であることの基準とする第２閾値ｘ２を設定する。なお、第１及び第２閾値ｘ１，ｘ２に代えて、又は、これに加えて、蒸気使用設備に対する改善必要性を評価するための閾値をさらに設定するようにしてもよい。
【０１２２】
シミュレート部Ｓ２は、蒸気発生コスト評価情報Ｉａ１として、蒸気使用設備に対する改善必要性を評価する。具体的には、演算した蒸気発生コストＣが第１閾値ｘ１を超えた場合に蒸気使用設備Ｐに対する改善が必要であると評価する。これにより、蒸気使用設備に対する改善が必要なことがわかり、蒸気使用設備の運転状態の最適化のための改善点を探索する気づきになる。また、蒸気発生コストＣが第２閾値ｘ２を下回った場合に蒸気使用設備Ｐの運転が良好であると評価する。これにより、蒸気使用設備の運転が良好であることがわかり、例えば、運転が良好と判断された蒸気使用設備の状態を蒸気使用設備の運転状態の最適化の参考とすることができる。
【０１２３】
演算された蒸気発生コストＣの値が第１閾値と第２閾値の間の値である場合には、シミュレート部Ｓ２は蒸気使用設備Ｐの運転が平常であると評価する。なお、閾値設定部Ｓ３において第１及び第２閾値ｘ１，ｘ２に加えてさらに閾値を設定するなどして、蒸気使用設備Ｐに対する改善必要性の評価を段階的に行うようにしてもよい（改善の緊急度の大中小や、運転の良好の度合いの大中小など）。
【０１２４】
シミュレート部Ｓ２は、改善必要性の評価において、さらに蒸気使用設備Ｐへの改善策も生成するようにしてもよい。改善策は、例えば、取得された改善アイデア情報Ｊｆを参照して、演算により現状の蒸気使用設備Ｐの改善に最適な１つの改善アイデア又は改善アイデアの組み合わせを導出することにより生成される。又は、予め記憶部Ｓ６に修理保守情報を記憶しておき、データ入力部Ｓ１で取得された各種情報Ｊａ〜Ｊｄにおける各値とこれに対応する基準情報Ｊｅにおける各基準値との比較に基づいて異常箇所を判定する（例えば、蒸気使用設備Ｐにおいて基準値との差が許容範囲を超えた値を示す箇所を異常箇所として認定する、又は各情報の比較結果を組み合わせて判断した上で異常箇所を認定するなど）とともに、その異常箇所に対応する修理保守情報を取得するなど、他の適当な手段により生成してもよい。
【０１２５】
シミュレート部Ｓ２は、さらに、蒸気発生コスト評価情報Ｉａ１の１つとして、図８に示すようなグラフ情報画像Ｇａを出力手段Ｓ８に表示する。グラフ情報画像Ｇａは、演算された蒸気発生コストＣの値とその基準値、蒸気発生コストＣの値が基準値を１００％とした場合に何％かを表示する数値表示欄ｇａ１と蒸気発生コストＣの経時的な変化を示すグラフを表示するグラフ表示欄ｇａ２から構成される。グラフ表示欄ｇａ２には、蒸気発生コストの経時変化を示す線に併せて、蒸気発生コストの基準値を示す線が表示されている。
【０１２６】
蒸気発生コストの経時的な変化により、現在の蒸気発生コストＣだけでなく過去の蒸気発生コストＣの変動を把握できるから、例えば、過去の蒸気使用設備Ｐの運転状況を参照するなどにより過去の蒸気発生コストＣの変動の原因を分析することができて、これにより、蒸気使用設備に対する改善必要性の評価を的確に行うことができる。
【０１２７】
なお、グラフ表示欄ｇａ２には、蒸気使用設備Ｐにおいて消費される燃料の経時変化を示す線も併せて表示してもよい。蒸気使用設備Ｐのように廃熱ボイラー１８〜２１，２８，３１によっても蒸気を発生させる場合には、蒸気使用設備Ｐにおいて消費される燃料が少ない、即ち、蒸気使用設備Ｐの運転が停滞しているほど運転により生じる廃熱が減少して、廃熱ボイラー１８〜２１，２８，３１において発生する蒸気の量が減ることになる。すると、その分、第１及び第２ボイラーにおいて燃料を使用して蒸気を発生させなければならず、蒸気発生機器Ｇｓにおける燃料使用量が増加し、その結果、蒸気発生コストＣが増加することとなる。このように、蒸気発生コストＣと蒸気使用設備Ｐにおいて消費される燃料にはある程度の相関があるため、蒸気発生コストの経時変化と蒸気使用設備Ｐにおいて消費される燃料の経時変化をあわせて表示することで、蒸気使用設備に対する改善必要性の評価をより的確に行うことができる。
【０１２８】
また、シミュレート部Ｓ２で生成された改善必要性の評価や改善策は、グラフ情報画像Ｇａ上に表示される。なお、図示しない通信部により管理者のコンピュータや携帯電話などの通信端末に改善必要性の評価や改善策の内容を送信するなどしてもよい。改善必要性の評価や改善策のグラフ情報画像Ｇａ上への表示や通信端末への送信は、蒸気使用設備Ｐに対する改善が必要であると評価された場合や、蒸気使用設備Ｐの運転が良好であると評価された場合のみに行うなど、改善必要性の評価の内容に応じて行うようにしてもよい。
【０１２９】
蒸気配管系評価情報Ｉａ２について説明すると、シミュレート部Ｓ２は、蒸気配管系評価情報Ｉａ２として、蒸気配管系情報Ｊａに基づいて、図９に示すような、蒸気配管系各部を表示体で示す蒸気使用設備Ｐの蒸気配管系の構成図である蒸気配管系画像Ｇｂを出力手段Ｓ８に表示する。
【０１３０】
シミュレート部Ｓ２は、蒸気配管系評価情報Ｉａ２の生成において、蒸気配管系情報Ｊａにおける蒸気使用設備Ｐの蒸気配管系各部を通過する各蒸気量と、基準情報Ｊｅにおけるこれらの蒸気量に対応する基準値との比較情報（大小関係やその差など）を演算する。そして、蒸気配管系画像Ｇｂにおいて、各表示体の近傍の各々に、取得された蒸気量の値のうちの各表示体に対応する部位を通過する蒸気量の値がその比較情報と関連付けた状態で表示されるようにしてある。蒸気量の値を比較情報と関連付けた状態とは、例えば、蒸気量の値を基準値との大小関係や差に応じて、蒸気量の値を色分けして表示したり、数値を強調したり、数値を枠で囲む、網掛けして表示する、又は、各機器と配管をつなぐ矢印や線を色分けする若しくは強調するなどした状態である。
【０１３１】
蒸気配管系画像Ｇｂは、蒸気使用設備Ｐの蒸気配管系を示す設備構成表示欄ｇｂ１、蒸気使用設備Ｐの総蒸気発生量・不明蒸気量・不明蒸気率（総蒸気発生量に占める不明蒸気量の割合）を示す蒸気量表示欄ｇｂ２、蒸気使用設備Ｐにおける各燃料消費量、発電量、水の消費量、ＣＯ２消費量などを示す燃料等表示欄ｇｂ３で構成される。
【０１３２】
設備構成表示欄ｇｂ１には、図２で説明した各構成を示す表示体１０〜３４に加え、各蒸気管１０〜１３に接続された多数の蒸気トラップＴでの通過蒸気損失量及び各蒸気管１０〜１３での給送中の凝縮などで損失する蒸気損失量の合計値を各蒸気管１０〜１３における不明蒸気量とし、この各不明蒸気量の行き先と仮定した表示体３５〜３７を表示する。そして、設備構成表示欄ｇｂ１における各表示体１０〜３７の近傍には、各表示体１０〜３７の各々を通過する蒸気量（ｔ／ｈ）の情報を比較情報と関連付けた状態で表示する（図９では基準値よりも高い値を示すものを網掛けして表示し、基準値よりも低い値を示すものを枠で囲んで表示してある）。
【０１３３】
蒸気量表示欄ｇｂ２には、蒸気使用設備Ｐの総蒸気発生量・不明蒸気量・不明蒸気率を比較情報と関連付けた状態で表示する（図９では基準値よりも高い値を示すものを網掛けして表示してある）。
【０１３４】
燃料等表示欄ｇｂ３では、各燃料消費量（本例では燃料（Ｃ４）、燃料ガス）、発電量、水の消費量と基準情報Ｊｅにおけるこれらの基準値との差とその差の金額換算値、ＣＯ２消費量の基準値との差を表示する。
【０１３５】
蒸気配管系画像Ｇｂにより、基準運転時と現状の運転における各蒸気量・各燃料消費量・発電量・水の消費量・ＣＯ２消費量・これらの金額換算値を把握でき、蒸気使用設備Ｐの蒸気配管系における運転状況が明らかになる。
【０１３６】
さらに、特に設備構成表示欄ｇｂ１や蒸気量表示欄ｇｂ２により、エネルギーバランスとして蒸気使用設備全体における蒸気バランスが明らかになり、例えば、蒸気使用設備における蒸気システムにおいてどれだけの蒸気ロスが存在しているのか、どうすればどれだけのロスが削減できるのかなど、省蒸気の観点から蒸気使用設備の運転状況を把握することができる。
【０１３７】
また、蒸気量表示欄ｇｂ２における蒸気使用設備Ｐの総蒸気発生量と燃料等表示欄ｇｂ３における発電量とから熱電バランスが明らかになり、例えば、燃料単価の変動などによる蒸気発生に要するコストの変動や、買電の電力量・価格変動を考慮した蒸気使用設備における最適な熱電バランスを把握することができる。
【０１３８】
燃料配管系評価情報Ｉａ３について説明すると、シミュレート部Ｓ２は、燃料配管系評価情報Ｉａ３として、燃料配管系情報Ｊｂに基づいて、図１０に示すような、燃料配管系各部を表示体で示す蒸気使用設備Ｐの燃料配管系の構成図である燃料配管系画像Ｇｃを出力手段Ｓ８に表示する。
【０１３９】
シミュレート部Ｓ２は、燃料配管系評価情報Ｉａ３の生成において、燃料配管系情報Ｊｂにおける蒸気使用設備Ｐの燃料配管系各部を通過する各燃料の量などの情報と、基準情報Ｊｅにおけるこれらの情報に対応する基準値との比較情報（大小関係やその差など）を演算する。そして、燃料配管系画像Ｇｃにおいて、各表示体の近傍の各々に、取得された燃料の量の値のうちの各表示体に対応する部位を通過する燃料量の値がその比較情報と関連付けた状態で表示されるようにしてある。燃料量の値を比較情報と関連付けた状態とは、例えば、各燃料の値を基準値との大小関係や差に応じて、各燃料の値を色分けして表示したり、数値を強調したり、数値を枠で囲む、網掛けして表示する、又は、各機器と配管をつなぐ矢印や線を色分けする若しくは強調するなどした状態である。
【０１４０】
燃料配管系画像Ｇｃは、蒸気使用設備Ｐの燃料配管系を示す設備構成表示欄ｇｃ１、蒸気使用設備Ｐの総燃料ガス発生量、総燃料ガス消費量・不明ガス量・不明ガス率（総燃料ガス発生量に占める不明蒸気量の割合）を示す燃料ガス消費量表示欄ｇｂ２、蒸気使用設備Ｐにおける各燃料の消費量を示す燃料等表示欄ｇｂ３で構成される。
【０１４１】
設備構成表示欄ｇｃ１には、図２で説明した各構成を示す表示体４０〜４８を表示する。そして、設備構成表示欄ｇ１における各表示体４０〜４８の近傍には、各表示体４０〜４８から給送される又は各表示体４０〜４８に供給される各燃料（本例では燃料ガス、Ｃ４留分の燃料）の量（ｔ／ｈ）の情報を比較情報と関連付けた状態で表示する（図１０では基準値よりも高い値を示すものを網掛けして表示し、基準値よりも低い値を示すものを枠で囲んで表示してある）。
【０１４２】
燃料ガス量表示欄ｇｃ２には、蒸気使用設備Ｐの総燃料ガス発生量、総燃料ガス消費量・不明ガス量・不明ガス率を比較情報と関連付けた状態で表示する（本例では基準値よりも高い値を示すものを網掛けして表示し、基準値よりも低い値を示すものを枠で囲んで表示するようにしてある）。
【０１４３】
燃料等表示欄ｇｃ３では、各燃料消費量（本例では燃料ガス、Ｃ４留分の燃料、燃料Ａの消費量）と基準情報Ｊｅにおけるこれらの基準値との差とその差の金額換算値を表示する。
【０１４４】
燃料配管系画像Ｇｃにより、基準運転時と現状の運転における各燃料ガス量・各燃料消費量・これらの金額換算値を把握でき、蒸気使用設備Ｐの燃料配管系における運転状況が明らかになる。
【０１４５】
さらに、特に設備構成表示欄ｇｃ１により、第１及び第２ボイラー１４，１７で消費される燃料量と燃料タンク４６に貯留されて出荷される燃料量との燃料バランスが明らかになり、例えば、例えば、蒸気使用設備の蒸気使用状況などの運転状況に対する燃料の出荷量・売上高のバランスを把握することができる。
【０１４６】
次に、監視部Ｓ３により生成される蒸気機器評価情報Ｉｂについて説明する。この蒸気機器評価情報Ｉｂは、作動状態判定情報Ｉｂ１と機器詳細情報Ｉｂ２とから構成される。
【０１４７】
まず、作動状態判定情報Ｉｂ１の生成において、監視部Ｓ３では、検出器Ｄからの各検出情報に基づいて蒸気使用機器Ｕｓや蒸気発生機器Ｇｓなどの各機器の作動状態の判定が行われる。
【０１４８】
例えば、監視部Ｓ３は、図５に示す第１中高圧タービン２３，中圧タービン２９の作動状態の判定において、検出器Ｄからの各検出情報に対し、次のようなモニタリング項目に基づいて監視を行う。
（１）蒸気入口路５１の圧力計６３及び流量計６９、蒸気出口路５２の圧力計６４、燃料ガス供給路５３の圧力計６５、液体燃料供給路５４の圧力計６６及び流量計７０、第１中高圧蒸気タービン２３の回転数計７１からの検出情報に基づいて第１中高圧蒸気タービン２３及びコンプレッサー５０の動作を確認する
（２）潤滑油供給路５９の圧力計６７からの検出情報に基づいてモータポンプ５７の動作を確認する
（３）タービンポンプ５６の稼働時における潤滑油供給路の圧力計６８からの検出情報に基づいてタービンポンプ５６の動作を確認する
（４）モーター５８の温度振動センサ７２からの検出信号に基づいてモーター５８の動作を確認する
【０１４９】
さらに、この監視部Ｓ３では、蒸気トラップＴに配備した検出器Ｄからの検出信号に基づいて、次のような項目を監視する。
（５）第１中高圧タービン２３のスタンバイ時において、蒸気トラップＴ１〜Ｔ３のドレン滞留の有無を確認して、第１中高圧タービン２３が即稼働可能状態にあるか（例えば、ウォーターハンマーが発生する危険性）を確認する
（６）第１中高圧タービン２３の稼働中において、蒸気トラップＴ１〜Ｔ３のドレン滞留の有無を確認して、第１中高圧タービン２３に供給される蒸気におけるドレン混入の危険性を確認する
（７）第１中高圧タービン２３の稼働時において、蒸気トラップＴ１〜Ｔ３の温度が適切に変化するかを確認して、第１中高圧タービン２３に蒸気が問題なく供給されたことを確認する
（８）中圧タービン２９のスタンバイ時において、蒸気トラップＴ４〜Ｔ７のドレン滞留の有無を確認して、中圧タービン２９が即稼働可能状態にあるか（例えば、ウォーターハンマーが発生する危険性）を確認する
（９）中圧タービン２９の稼働中において、蒸気トラップＴ４〜Ｔ７のドレン滞留の有無を確認して、中圧タービン２９に供給される蒸気におけるドレン混入の危険性を確認する
（１０）中圧タービン２９の稼働時において、蒸気トラップＴ４〜Ｔ７の温度が適切に変化するかを確認して、中圧タービン２９に蒸気が問題なく供給されたことを確認する
（１１）液体燃料供給路５４の流量計７０からの検出情報から液体燃料Ｌの流量の低下が検出された場合において、蒸気入口路５１及び蒸気出口路５２の圧力計６３，６４における第１中高圧タービン２３に対する蒸気の入出圧力、検出器Ｄからの蒸気トラップＴ１及びＴ２の温度に基づく蒸気の温度、並びに、第１中高圧タービン２３の回転数計７１における第１中高圧タービン２３の回転数から第１中高圧タービン２３のタービン効率を算出し、タービン効率に基づいて液体燃料Ｌの流量低下の原因が蒸気側とガス側とのいずれにあるかを判断する
【０１５０】
この監視部Ｓ３では、以上のような（１）〜（１１）のモニタリング項目を総合的に判断して、蒸気使用機器Ｕｓとしての第１中高圧タービン２３，中圧タービン２９の作動状態の判定が行われる。特に、第１中高圧タービン２３，中圧タービン２９の作動状態の判定に、蒸気トラップＴの検出情報も用いているため、従来にない上記（５）〜（１１）のモニタリング項目のような蒸気使用機器Ｕｓが即稼働可能状態にあるかの確認、供給蒸気のドレン混入の危険性の確認、蒸気使用機器Ｕｓの稼働時の蒸気の流れの確認、異常の原因の推定などが可能となっている。
【０１５１】
また、監視部Ｓ３は、図６に示す中圧タービン２９の作動状態の判定において、検出器Ｄからの各検出情報に対し、次のようなモニタリング項目に基づいて監視を行う。
（イ）中圧蒸気管１２の圧力計８８及び流量計８９、中圧タービン２９の回転数計９１からの検出情報に基づいて中圧タービン２９の動作を確認する
（ロ）給水路８５の圧力計９０、モーター８１の電流計９２及び温度振動センサ９３からの検出情報に基づいてモーター８１及びモータポンプ８２の動作を確認する
【０１５２】
さらに、この監視部Ｓ３では、蒸気トラップＴに配備した検出器Ｄからの検出情報に基づいて、次のような項目を監視する。
（ハ）中圧タービン２９のスタンバイ時において、蒸気トラップＴ８〜Ｔ１１のドレン滞留の有無を確認して、中圧タービン２９が即稼働可能状態にあるか（例えば、ウォーターハンマーが発生する危険性）を確認する
（ニ）中圧タービン２９の稼働中において、蒸気トラップＴ８〜Ｔ１１のドレン滞留の有無を確認して、中圧タービン２９に供給される蒸気におけるドレン混入の危険性を確認する
（ホ）中圧タービン２９の稼働時において、蒸気トラップＴ１０の温度が適切に変化するかを確認して、中圧タービン２９に蒸気が問題なく供給されたことを確認する
（へ）蒸気トラップＴ１２〜Ｔ１４のドレン滞留の有無を確認して、トレース配管８７の動作を確認して、冬季などにおける給水路８５の凍結可能性を確認する
【０１５３】
この監視部Ｓ３では、以上のような（イ）〜（へ）のモニタリング項目を総合的に判断して、蒸気使用機器Ｕｓとしての中圧タービン２９の作動状態の判定が行われる。特に、この監視部Ｓ３では、中圧タービン２９の作動状態の判定に、蒸気トラップＴの検出情報も用いているため、従来にない上記（ハ）〜（へ）のモニタリング項目のような蒸気使用機器が即稼働可能状態にあるかの確認、供給蒸気のドレン混入の危険性の確認、蒸気使用機器の稼働時の蒸気の流れの確認、給水路８５の凍結可能性の確認などが可能となっている。
【０１５４】
そして、監視部Ｓ３は、作動状態情報Ｉｂ１として、機器情報Ｊｃと上記のような各機器の作動状態の判定結果（正常に作動しているかどうかなど）に基づいて、対象の機器（蒸気発生機器Ｇｓや蒸気使用機器Ｕｓなど）ごとにその対象の機器に加えその周辺機器や配管を表示体で示す機器まわりの構成図である機器画像、例えば、図１１，１２に示すような機器画像Ｇｄ、Ｇｅを出力手段Ｓ８に表示する。そして、機器画像Ｇｄ、Ｇｅにおいて、各表示体が作動状態の判定結果と関連付けた状態で表示されるようにしてある。各表示体を作動状態の判定結果と関連付けた状態とは、例えば、判定結果に応じて、各表示体を色分けして表示したり、枠で囲んだり、強調するなどした状態である。
【０１５５】
例えば、図１１に示すような機器画像Ｇｄでは、図５で説明した各構成を示す表示体２３，２９，５０〜７２、Ｔを各機器の作動状態の判定結果と関連付けた状態で表示する（例えば、ある箇所（図１１では蒸気トラップＴ２、Ｔ５）が異常と判断された場合にその箇所を囲むようにしてある）。
【０１５６】
また、例えば、図１２に示すような機器画像Ｇｅでは、図６で説明した各構成を示す表示体２９，８０〜９３、Ｔを比較情報と関連付けた状態で表示する（図１１と同様に、ある箇所（図１２では蒸気トラップＴ１１、中圧タービン２９の回転数計９１）が異常と判断された場合にその箇所を囲むようにしてある）。
【０１５７】
さらに、各機器画像において、指示入力部Ｓ７への選択処理により機器画像上の表示体を選択することで、選択した表示体に対応する機器詳細情報Ｉｂ２が出力手段Ｓ８に表示されるようにしてある。機器詳細情報Ｉｂ２としては、その機器の型式や作動状態の詳細、過去の故障情報や点検結果などの履歴情報、機器の作動状態に異常がある場合にはその異常に対応する工事指示情報が表示される。工事指示情報としては、例えば、対応する機器の画像やその配置場所の情報、及び、対応する機器の型式、その判定情報の内容（異常の種類、異常の度合いなど）に応じた適切な工事の指示が表示される。
【０１５８】
履歴情報を参照することにより、機器の故障頻度や何が原因で故障してきているのかということが把握でき、設置機器の型式の見直しや周辺機器の変更の必要性などが判断でき、蒸気使用設備の運転状態の最適化につながる。また、工事指示情報により、異常に対する迅速な処理が可能となる。
【０１５９】
次に、監視部Ｓ３におけるドレン排出評価情報Ｉｃの生成について説明する。この蒸気機器評価情報Ｉｃは、作動状態判定情報Ｉｃ１とドレン排出箇所詳細情報Ｉｃ２とから構成される。
【０１６０】
作動状態判定情報Ｉｃ１として、監視部Ｓ３は、ドレン排出箇所情報Ｊｄとドレン排出データベースＤｂとに基づいて、蒸気使用設備Ｐにおけるドレン排出箇所（蒸気トラップＴやバルブＢ）を表示体で表示する配置図に各ドレン排出箇所の作動状態を組み合わせた画像、例えば、図１３に示すようなドレン排出評価画像Ｇｆを出力手段Ｓ８に表示する。
【０１６１】
具体的には、監視部Ｓ３は、ドレン排出箇所情報Ｊｄ（各ドレン排出箇所の機器状態情報（温度、振動など））と基準情報Ｊｅにおけるこれらに対応する基準値との比較に基づいて各ドレン排出箇所の作動状態の判定を行い、作動状態が正常であるか異常であるか、その異常の種類（蒸気漏れ異常、トラップ閉塞異常、温度異常など）、その異常の度合い（例えば、注意レベル、故障レベルなど）を判定する。
【０１６２】
なお、蒸気漏れ異常（モレ不良）とは、蒸気トラップＴの本来機能として蒸気の流出を阻止しながら復水のみを排出することが要求されるのに対し蒸気が許容限度を超えて流出する異常である。トラップ閉塞異常（ツマリ不良）とは復水の排出が円滑に行われない異常（すなわちトラップ詰まり）であり、温度異常とはトラップ温度ないしはトラップ周囲温度が適正範囲を低下側ないし上昇側に逸脱する異常である。
【０１６３】
そして、各ドレン排出箇所の作動状態の判定結果に基づいて、監視部Ｓ３は、ドレン排出データベースＤｂを最新の状態に更新する。そして更新したドレン排出データベースＤｂに基づいて各ドレン排出箇所が表示体で表示された配置図（例えば、ドレン排出評価画像Ｇｆ）を生成するとともに、配置図上においてドレン排出箇所の各表示体が上記判定結果と関連付けられた状態で表示されるようにしてある。各表示体を判定結果と関連付けた状態とは、例えば、その判定結果の内容に応じて、各表示体を色分けする、強調する若しくはその表示を変更するなどした状態である。
【０１６４】
例えば、ドレン排出箇所画像Ｇｆは、蒸気使用設備Ｐの一部におけるドレン排出箇所の配置を示し、各ドレン排出箇所がその配置場所で表示体Ｔ、Ｂとして表示されている。そして、各表示体Ｔ、Ｂは上記判定情報と関連付けた状態で表示されている。本例では、例えば表示体Ｔの場合は、図１３では、１００は蒸気トラップＴの状態が正常であることを示し、１０１は蒸気トラップＴの状態が蒸気漏れ異常の注意レベルであることを示し、１０２は蒸気トラップＴの状態が蒸気漏れ異常の故障レベルであることを示し、１０３は蒸気トラップＴの状態が温度異常であること、１０４は使用していない蒸気トラップＴであること、１０５はバルブの状態が正常であることを示す。このように、画像Ｇｆにより、視覚的にドレン排出箇所の状態が把握できる。
【０１６５】
さらに、作動状態判定情報Ｉｃ１としてのドレン排出箇所の配置図において、指示入力部Ｓ７への選択処理により各表示体Ｔ、Ｂを選択することで、選択した表示体Ｔに対応する配置場所に設置されたドレン排出箇所詳細情報Ｉｃ２が出力手段Ｓ８に表示されるようにしてある。ドレン排出箇所詳細情報Ｉｃ２としては、そのドレン排出箇所の状態の詳細や、過去の故障情報や点検結果などの履歴情報、ドレン排出箇所の作動状態に異常がある場合にはその異常に対応する工事指示情報が表示される。履歴情報は、現在その配置場所に設置されている蒸気トラップＴやバルブＢの情報に限らず、その配置場所に過去に配置され交換された歴代の蒸気トラップＴやバルブＢの情報にわたって表示される。工事指示情報としては、対応する蒸気トラップＴやバルブＢの画像やその配置場所の情報、及び、対応する蒸気トラップＴやバルブＢの場所や種類、その判定情報の内容（異常の種類、異常の度合いなど）に応じた適切な工事の指示が表示されるようにしてある。
【０１６６】
履歴情報を参照することにより、蒸気トラップ・バルブの故障頻度や何が原因で故障してきているのかということが把握でき、蒸気トラップＴやバルブＢの型式の見直し、関連する蒸気トラップＴやバルブＢ、又は、配管レイアウトの変更の必要性などが判断でき、蒸気使用設備の運転状態の最適化につながる。また、工事指示情報により、異常に対する迅速な処理が可能となる。
【０１６７】
なお、ドレン排出箇所画像Ｇｆは、蒸気使用設備Ｐにおけるプロセスフローを示すマップ上にドレン排出箇所（蒸気トラップＴやバルブＢ）を表示体で表示するものでもよい。
【０１６８】
以上のように、管理手段Ｓでは、シミュレート部Ｓ２と監視部Ｓ３とにより、エネルギーバランス評価情報Ｉａと、蒸気機器評価情報Ｉｂと、ドレン排出評価情報Ｉｃとの３つの観点から蒸気システムの「視える化」を図り、蒸気使用設備Ｐの管理担当者による蒸気使用設備の運転状態の最適化に役立てる。
【０１６９】
これら各評価情報Ｉａ〜Ｉｃや、演算された蒸気発生コストＣ、更新したドレン排出データベースＤｂ、データ入力部により取得された各情報Ｊａ〜Ｊｄは、記憶部Ｓ６に記憶される。これにより、過去の蒸気使用設備の運転状態まで遡って、蒸気システムを把握できる。
【０１７０】
また、出力手段Ｓ８は、改善アイデア情報Ｊｆに基づいて、図１４に示すような改善アイデアが列挙された改善アイデア画像Ｇｇを生成する。そして、列挙された改善アイデアの１つ又は複数を指示入力部Ｓ７により入力することで（又は、シミュレート部Ｓ２で生成した改善策に基づいて）、シミュレート部Ｓ２は、選択した改善アイデア（又は、上記した改善策）の実施後の情報である改善蒸気発生コスト、改善蒸気配管系情報、改善燃料配管系情報を演算する。なお、改善蒸気発生コストは改善実施後の蒸気発生コストＣの値、改善蒸気配管系情報は蒸気配管系情報Ｊａの改善実施後の情報、改善燃料配管系情報は燃料配管系情報Ｊｂの改善実施後の情報である。
【０１７１】
なお、シミュレート部Ｓ２は、シミュレート部Ｓ２で生成した改善策に基づいて、その改善策の実施後の情報である改善蒸気発生コスト、改善蒸気配管系情報、改善燃料配管系情報を演算してもよい。
【０１７２】
そして、シミュレート部Ｓ２は、改善蒸気発生コスト、改善蒸気配管系情報、改善燃料配管系情報に基づいて、蒸気発生コスト評価情報Ｉａ１、蒸気配管系評価情報Ｉａ２、燃料配管系評価情報Ｉａ３を更新し、更新後の情報Ｉａ１〜Ｉａ３を出力手段Ｓ８に表示する。なお、更新した蒸気配管系評価情報Ｉａ２及び燃料配管系評価情報Ｉａ３における各表示体は、基準情報Ｊｅと改善蒸気配管系情報及び改善燃料配管系情報との比較情報を関連付けしたものであってもよいし、改善前の蒸気配管系情報Ｊａ及び燃料配管系情報Ｊｂと改善蒸気配管系情報及び改善燃料配管系情報との比較情報を関連付けしたものであってもよい。前者であれば、基準運転時に対する改善実施後の蒸気使用設備Ｐの運転状況を把握できる。後者であれば、改善を実施することによる効果が明確に把握できる。これら改善後の効果を確認することにより蒸気使用設備の運転状態の最適化のための改善策を探索することができる。
【０１７３】
また、エネルギーバランス評価情報Ｉａと蒸気機器評価情報Ｉｂとは関連付けしてある。具体的には、蒸気配管系画像Ｇｂ及び燃料配管系画像Ｇｃにおける表示体１０〜３４，４０〜４８のいずれかを指示入力部Ｓ７により選択することで、選択された表示体に対応する機器の蒸気機器評価情報Ｉｂの画像が表示される。例えば、図９の蒸気配管系画像Ｇｂにおける表示体２３を選択することにより、図１１に示すような第１中高圧タービン２３まわりの機器画像Ｇｄが表示される。
【０１７４】
さらに、蒸気機器評価情報Ｉｂはドレン排出評価情報Ｉｃとも関連付けしてある。具体的には、蒸気機器評価情報Ｉｂとしての画像に表示されるドレン排出箇所（蒸気トラップＴやバルブＢ）の表示体Ｔ、Ｂを指示入力部Ｓ７により選択することで、選択された表示体Ｔ、Ｂに対応するドレン排出箇所詳細情報Ｉｃ２が表示される。
【０１７５】
このように、管理手段Ｓでは、夫々観点の異なる３つの情報（エネルギーバランス評価情報Ｉａ、蒸気機器評価情報Ｉｂ、ドレン排出評価情報Ｉｃ）を関連付けて、蒸気システムの把握を容易にして「視える化」を図り、蒸気使用設備の運転状態の最適化に役立ててある。
【０１７６】
また、管理手段Ｓはインターネットにより外部からアクセス可能にしてあり、パソコンや携帯端末を通じて、蒸気使用設備の管理者や工事担当者、管理会社の担当者など複数人が管理手段Ｓを監視・操作をすることができるようにしてある。
【０１７７】
次に、本開示に係る流体使用設備管理システムを用いて、蒸気使用設備Ｐの運転状態を最適化する方法について説明する。
まず、対象とする蒸気使用設備Ｐに対して、蒸気使用設備Ｐの基本情報を把握する設備現状調査を探索員により実施する。この設備現状調査において、探索員は、各機器（蒸気発生機器Ｇｓ、蒸気使用機器Ｕｓ、燃料発生機器Ｇｆ、燃料使用機器Ｕｆやその周辺機器、各種配管、蒸気トラップＴ、バルブＢなどについて診断器等で実際に診断したり、設計図等から劣化状態を予測したりするなどの診断を行う（いわゆるサーベイ）。そして、この設備現状調査に基づいて、記憶部Ｓ６に格納する上記した基準情報Ｊｅを作成する。
【０１７８】
調査する情報としては、各機器（蒸気発生機器Ｇｓ、蒸気使用機器Ｕｓ、燃料発生機器Ｇｆ、燃料使用機器Ｇｆやその周辺機器、各種配管など）の仕様や状態、各蒸気発生機器Ｇｓで使用する燃料の種類・価格などを調査する。特に、ドレン排出箇所（蒸気トラップＴ、バルブＢなど）については、ドレン排出箇所の配管レイアウトに問題があるかどうか、蒸気トラップＴの状態、設置場所における型式の整合性、蒸気トラップＴの周辺のバルブＢが正常かどうかなど総合的に診断し、その診断結果をドレン排出データベースＤｂとして管理手段Ｓの記憶部Ｓ６に格納する。
【０１７９】
また、診断の際に、蒸気使用設備Ｐの状態を遠隔監視するために、蒸気トラップＴやバルブＢ、各機器に対し、特に監視が必要な箇所など、必要に応じて各種の検出器Ｄを適宜設置する。
【０１８０】
以上のような診断や検出器Ｄの設置を行った後、管理手段Ｓを用いて蒸気使用設備Ｐを管理する。管理手段Ｓは、各検出器Ｄから送信される各種情報（又は、点検員が収集した各種情報）を常時又は定期的にデータ入力部Ｓ１に取得し、取得した各種情報に基づいて、管理手段Ｓのシミュレート部Ｓ２及び監視部Ｓ３により、エネルギーバランス評価情報Ｉａ、蒸気機器評価情報Ｉｂ、及び、ドレン排出評価情報Ｉｃを生成する。蒸気使用設備Ｐの管理者は（又は、外部の管理会社の担当者は）、指示入力部Ｓ７による選択処理により出力手段Ｓ８に所望の評価情報Ｉａ〜Ｉｃを表示させて、蒸気使用設備Ｐの運転状態を把握し、これに基づいて、蒸気使用設備Ｐの運転状態の最適化を行う。
【０１８１】
例えば、エネルギーバランス評価情報Ｉａのうち、蒸気発生コスト評価情報Ｉａ１により蒸気発生コストＣの経時的な変化を表示することで、複雑な蒸気使用設備Ｐの運転状況を単一の基準値の蒸気発生コストＣで的確に把握・評価することができる。また、蒸気発生コスト評価情報Ｉａ１によれば、蒸気使用設備Ｐに対し改善が必要であるか、運転が良好であるかなどが即座にわかる。そして、改善が必要である、又は、運転が良好であることが示された場合は、蒸気配管系評価情報Ｉａ２、燃料配管系評価情報Ｉａ３から蒸気使用設備Ｐにおける蒸気バランス・熱電バランス・燃料バランスを参照することにより、改善が必要となっている要因や運転が良好である要因の推定が可能となる。さらに、蒸気機器評価情報Ｉｂのうちの作動状態判定情報Ｉｂ１や、ドレン排出評価情報Ｉｃのうちの作動状態判定情報Ｉｃ１により蒸気使用設備Ｐの各箇所の作動状態を参照することにより、改善が必要となっている箇所やその原因を特定することができる。またさらに、蒸気機器評価情報Ｉｂのうちの機器詳細情報Ｉｂ２や、ドレン排出評価情報Ｉｃのうちのドレン排出箇所詳細情報Ｉｃ２によりその履歴情報や工事指示情報などを参照することで、その具体的な改善策を立案することができる。
【０１８２】
さらに、立案した改善案や、蒸気発生コスト評価情報Ｉａ１により示された改善策に基づいて、図１４に示すような改善アイデア画像Ｇｇから所望の改善アイデアを指示入力部Ｓ７により選択することで、改善による効果を確認できる。
【０１８３】
また、蒸気配管系評価情報Ｉａ２や燃料配管系評価情報Ｉａ３と蒸気機器評価情報Ｉｂとを組み合わせることにより、ある機器の作動状態や型式と実際にその機器で使用・発生させている蒸気量や使用している燃料ガス量とが適切なものであるかといったことが把握でき、その機器の型式やそこで使用・発生させている蒸気量や使用している燃料ガス量の見直しにつながる。
【０１８４】
このように、流体使用設備管理システムによれば、蒸気発生コストＣ・蒸気量・燃料の量、いわば、蒸気使用設備Ｐにおける蒸気バランス、熱・電気バランスや運転コストなどの蒸気使用設備Ｐ全体のエネルギーバランスと、蒸気使用設備Ｐにおける機器状態、蒸気使用設備Ｐにおけるドレン排出状態を把握でき、つまり、蒸気使用設備Ｐをエネルギーバランス、機器状態、ドレン排出状態の３つの観点から総合的に把握できる。そして、これにより、蒸気使用設備Ｐに対する改善点を見出して最適な状態を探索することができて、蒸気使用設備Ｐの運転状態の最適化を図ることができる。
なお、各種の評価情報Ｉａ〜Ｉｃの用途は上記したものに限られない。
【０１８５】
なお、上記流体使用設備管理システムは蒸気使用設備Ｐに限らず流体使用設備全般に適用することができる。この場合、上記実施形態において「蒸気」を各種の「流体」に、「蒸気トラップ」を「ドレントラップ」に読み換えるなど各語句を適当な語句に読み換えればよい。
【産業上の利用可能性】
【０１８６】
本開示の流体使用設備管理方法及び流体使用設備管理システムは各種分野における種々の蒸気使用設備の評価に適用することができる。  
【符号の説明】
【０１８７】
Ｓ                        流体使用設備管理システム
Ｓ１                      データ入力部
Ｓ２                      シミュレート部
Ｓ３                      監視部
１、Ｐ                    流体使用設備（蒸気使用設備）
２、Ｕｓ                  流体使用機器（蒸気使用機器）
３、Ｔ                    ドレントラップ（蒸気トラップ）
４、Ｂ                    バルブ
Ｄ                        検出器
１５、２２                発電機（第１タービン発電機、第２タービン発電機）
４２〜４５                燃料機器（燃焼炉）
Ｄｂ                      ドレン排出データベース
【図１】
0005946976.tif 000002
【図２】
0005946976.tif 000003
【図３】
0005946976.tif 000004
【図４】
0005946976.tif 000005
【図５】
0005946976.tif 000006
【図６】
0005946976.tif 000007
【図７】
0005946976.tif 000008
【図８】
0005946976.tif 000009
【図９】
0005946976.tif 000010
【図１０】
0005946976.tif 000011
【図１１】
0005946976.tif 000012
【図１２】
0005946976.tif 000013
【図１３】
0005946976.tif 000014
【図１４】
0005946976.tif 000015